(57)【要約】  本発明は電話着信に対する返信方法、装置、端末、サーバ、プログラム及び記録媒体に関わり、通信技術分野に属する。方法は、電話着信呼び出しプロセスにおいて、ローカルの連絡帳に発信者番号と一致する番号が記憶されていないとき、発信者番号に対応する発信者名を確認するために使われるイエローページサーバに発信者番号を送信するステップと、イエローページサーバから返された発信者名を受信するステップと、ユーザが電話着信に対する返信操作を作動させたか否かを検出するステップと、ユーザが電話着信に対する返信操作を作動させた場合、発信者名に基づいて発信者番号に対応する指定グループタイプを確定するステップと、グループタイプと返信内容の対応関係に基づいて、指定グループタイプにマッチする指定返信内容を確定するステップと、指定返信内容を発信者番号に送信するステップとを含む。【選択図】図２
2017504287.tif 000002
【特許請求の範囲】
【請求項１】
電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信するステップと、
前記イエローページサーバから返された前記発信者名を受信するステップと、 
ユーザが電話着信に対する返信操作を作動させたか否かを検出するステップと、
ユーザが電話着信に対する返信操作を作動させた場合、前記発信者名に基づいて前記発信者番号に対応する指定グループタイプを確定するステップと、
少なくともサービス類番号および連絡先番号が含まれるグループタイプと返信内容の対応関係に基づいて、前記指定グループタイプにマッチする指定返信内容を確定するステップと、
前記指定返信内容を前記発信者番号に送信するステップとを含むことを特徴とする電話着信に対する返信方法。
【請求項２】
前記イエローページサーバに前記発信者番号を送信する前に、更に、
前記ローカルの連絡帳に前記発信者番号と一致する番号が記憶されている場合、前記ローカルの連絡帳における指定連絡先情報リストに基づいて、前記発信者番号に対応する発信者名を確定するステップを含み、
前記指定連絡先情報リストは前記発信者番号が属する情報リストであることを特徴とする請求項１に記載の電話着信に対する返信方法。
【請求項３】
前記発信者名に基づいて前記発信者番号に対応する指定グループタイプを確定する前に、更に、
それぞれのグループタイプに対応する複数のグループキーワードを設定するステップを含み、
前記発信者名に基づいて前記発信者番号に対応する指定グループタイプを確定するステップは、
前記発信者名について単語分割処理を行い、少なくとも一つの単語を取得するステップと、
前記少なくとも一つの単語において、いずれかのグループタイプに対応するグループキーワードが含まれているか否かを確定するステップと、
前記少なくとも一つの単語において、いずれかのグループタイプに対応するグループキーワードが含まれている場合、前記いずれかのグループタイプを前記発信者番号に対応する指定グループタイプとして確定するステップとを含むことを特徴とする請求項１に記載の電話着信に対する返信方法。
【請求項４】
前記発信者名に基づいて前記発信者番号に対応する指定グループタイプを確定した後、更に、
前記発信者名に基づいて前記発信者番号が迷惑番号であると確定したとき、現在の電話着信を拒否するステップを含むことを特徴とする請求項１ないし請求項３のいずれかに記載の電話着信に対する返信方法。
【請求項５】
端末から送信される発信者番号を受信するステップと、
番号情報と番号名の対応関係に基づいて、前記発信者番号に対応する発信者名を確定するステップと、
前記発信者名を前記端末に送信するステップとを含み、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とする電話着信に対する返信方法。
【請求項６】
端末から送信される発信者番号を受信する前に、更に、
複数の端末から送信される、少なくとも番号情報および番号名を含む連絡情報を受信し、受信される連絡情報に基づいて、番号情報と番号名の対応関係を生成して、前記対応関係を記憶するステップ、
または、
前記複数の端末から前記連絡情報を取得し、取得された連絡情報に基づいて、番号情報と番号名の対応関係を生成して、前記対応関係を記憶するステップを含むことを特徴とする請求項５に記載の電話着信に対する返信方法。
【請求項７】
電話着信呼び出しプロセスにおいて、ローカルの連絡帳に発信者番号と一致する番号が記憶されていないとき、前記発信者番号に対応する発信者名を確認するためのイエローページサーバに前記発信者番号を送信するための発信者番号送信モジュールと、
前記イエローページサーバから返された前記発信者名を受信するための発信者名受信モジュールと、 
ユーザが電話着信に対する返信操作を作動させたか否かを検出するための電話着信返信検出モジュールと、
ユーザが電話着信に対する返信操作を作動させたとき、前記発信者名に基づいて前記発信者番号に対応する指定グループタイプを確定するためのグループタイプ確定モジュールと、
少なくともサービス類番号および連絡先番号が含まれるグループタイプと返信内容の対応関係に基づいて、前記指定グループタイプにマッチする指定返信内容を確定するための返信内容確定モジュールと、
前記指定返信内容を前記発信者番号に送信するための返信内容送信モジュールとを備えることを特徴とする電話着信に対する返信装置。
【請求項８】
更に、前記ローカルの連絡帳に前記発信者番号と一致する番号が記憶されている場合、前記ローカルの連絡帳における指定連絡先情報リストに基づいて、前記発信者番号に対応する発信者名を確定するための発信者名確定モジュールを備え、
前記指定連絡先情報リストは前記発信者番号が属する情報リストであることを特徴とする請求項７に記載の電話着信に対する返信装置。
【請求項９】
更に、それぞれのグループタイプに対応する複数のグループキーワードを設定するためのグループキーワード設定モジュールと、
前記発信者名について単語分割処理を行い、少なくとも一つの単語を取得し、前記少なくとも一つの単語において、いずれかのグループタイプに対応するグループキーワードが含まれているか否かを確定し、前記少なくとも一つの単語においていずれかのグループタイプに対応するグループキーワードが含まれている場合、前記いずれかのグループタイプを前記発信者番号に対応する指定グループタイプとして確定するための前記グループタイプ確定モジュールとを備えることを特徴とする請求項７に記載の電話着信に対する返信装置。
【請求項１０】
更に、前記発信者名に基づいて前記発信者番号が迷惑番号であると確定したとき、現在の電話着信を拒否するための電話着信拒否モジュールを備えることを特徴とする請求項７ないし請求項９のいずれかに記載の電話着信に対する返信装置。
【請求項１１】
端末から送信される発信者番号を受信するための発信者番号受信モジュールと、
番号情報と番号名の対応関係に基づいて、前記発信者番号に対応する発信者名を確定するための発信者名確定モジュールと、
前記発信者名を前記端末に送信するための発信者名送信モジュールとを備え、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とする電話着信に対する返信装置。
【請求項１２】
更に、複数の端末から送信される、少なくとも番号情報および番号名を含む連絡情報を受信し、受信される連絡情報に基づいて、番号情報と番号名の対応関係を生成して、前記対応関係を記憶し、または、前記複数の端末から前記連絡情報を取得し、取得された連絡情報に基づいて、番号情報と番号名の対応関係を生成して、前記対応関係を記憶するための連絡情報受信モジュールを備えることを特徴とする請求項１１に記載の電話着信に対する返信装置。
【請求項１３】
プロセッサと、
前記プロセッサが実行可能な指令を記憶するためのメモリとを備え、
前記プロセッサは、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信し、
前記イエローページサーバから返された前記発信者名を受信し、 
ユーザが電話着信に対する返信操作を作動させたか否かを検出し、
ユーザが電話着信に対する返信操作を作動させた場合、前記発信者名に基づいて前記発信者番号に対応する指定グループタイプを確定し、
少なくともサービス類番号および連絡先番号が含まれるグループタイプと返信内容の対応関係に基づいて、前記指定グループタイプにマッチする指定返信内容を確定し、
前記指定返信内容を前記発信者番号に送信するように構成されることを特徴とする端末。
【請求項１４】
プロセッサと、
前記プロセッサが実行可能な指令を記憶するためのメモリとを備え、
前記プロセッサは、端末から送信される発信者番号を受信し、
番号情報と番号名の対応関係に基づいて、前記発信者番号に対応する発信者名を確定し、
前記発信者名を前記端末に送信するように構成され、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とするサーバ。
【発明の詳細な説明】
【技術分野】
【０００１】
本発明は通信技術分野に関わり、特に電話着信に対する返信方法、装置、端末およびサーバに関わる。
【背景技術】
【０００２】
日常生活において、会議または休憩などの場面で他人からの電話着信を受信することがよくある。前もって妨害禁止モードに設定している場合は、該電話着信を無視するという選択ができるが、前もって妨害禁止モードに設定していない場合は、電話着信が会議の進展またはユーザ自身の休憩に影響を与えるという理由から、通常ユーザは手動で電話着信を拒否することを選択する。これは、ユーザと発信者の両方にとってひどい体験である。このとき、電話着信に返信する方法を提供することができれば、ユーザが重要な用事を逃してしまうことを防止するだけでなく、発信者の体験を向上させることもできる。
【０００３】
図１に示すように、関連技術において、ユーザが電話着信を受信した後、電話着信インタフェースにおいて一つの「メッセージ」オプションが表示され、ユーザは現在電話着信に出られない場合、該オプションをクリックして電話着信を拒否し、手動方式でＳＭＳを編集して、発信者番号にＳＭＳを返信することで、発信者に現在電話着信に出られないことを伝えることができる。
【０００４】
本発明を実現するプロセスにおいて、発明者は当該技術に少なくとも以下のような問題が存在することに気づいた。
【０００５】
多くの場合において、電話着信に出られないと同時に手動でＳＭＳを編集かつ返信できない可能性もあるため、このような電話着信に対する返信方法は操作が複雑で、スマートではなく、簡易性に欠けている。
【発明の概要】
【０００６】
関連技術に存在する問題を解決するために、本発明は電話着信に対する返信方法、装置、端末およびサーバを提供する。
【０００７】
本発明の実施例の第１の態様によれば、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信するステップと、
前記イエローページサーバから返された前記発信者名を受信するステップと、 
ユーザが電話着信に対する返信操作を作動させたか否かを検出するステップと、
ユーザが電話着信に対する返信操作を作動させた場合、前記発信者名に基づいて前記発信者番号に対応する指定グループタイプを確定するステップと、
少なくともサービス類番号および連絡先番号が含まれるグループタイプと返信内容の対応関係に基づいて、前記指定グループタイプにマッチする指定返信内容を確定するステップと、
前記指定返信内容を前記発信者番号に送信するステップとを含む電話着信に対する返信方法を提供する。
【０００８】
好ましくは、前記イエローページサーバに前記発信者番号を送信する前に、更に、
前記ローカルの連絡帳に前記発信者番号と一致する番号が記憶されている場合、前記ローカルの連絡帳における指定連絡先情報リストに基づいて、前記発信者番号に対応する発信者名を確定するステップを含み、
前記指定連絡先情報リストは前記発信者番号が属する情報リストである。
【０００９】
好ましくは、前記発信者名に基づいて前記発信者番号に対応する指定グループタイプを確定する前に、更に、
それぞれのグループタイプに対応する複数のグループキーワードを設定するステップを含み、
前記発信者名に基づいて前記発信者番号に対応する指定グループタイプを確定するステップは、
前記発信者名について単語分割処理を行い、少なくとも一つの単語を取得するステップと、
前記少なくとも一つの単語において、いずれかのグループタイプに対応するグループキーワードが含まれているか否かを確定するステップと、
前記少なくとも一つの単語において、いずれかのグループタイプに対応するグループキーワードが含まれている場合、前記いずれかのグループタイプを前記発信者番号に対応する指定グループタイプとして確定するステップとを含む。
【００１０】
好ましくは、前記発信者名に基づいて前記発信者番号に対応する指定グループタイプを確定した後、更に、
前記発信者名に基づいて前記発信者番号が迷惑番号であると確定したとき、現在の電話着信を拒否するステップを含む。
【００１１】
本発明の実施例の第２の態様によれば、端末から送信される発信者番号を受信するステップと、
番号情報と番号名の対応関係に基づいて、前記発信者番号に対応する発信者名を確定するステップと、
前記発信者名を前記端末に送信するステップとを含み、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれる電話着信に対する返信方法を提供する。
【００１２】
好ましくは、端末から送信される発信者番号を受信する前に、更に、
複数の端末から送信される、少なくとも番号情報および番号名を含む連絡情報を受信し、受信される連絡情報に基づいて、番号情報と番号名の対応関係を生成して、前記対応関係を記憶するステップ、
または、
前記複数の端末から前記連絡情報を取得し、取得された連絡情報に基づいて、番号情報と番号名の対応関係を生成して、前記対応関係を記憶するステップを含む。
【００１３】
本発明の実施例の第３の態様によれば、電話着信呼び出しプロセスにおいて、ローカルの連絡帳に発信者番号と一致する番号が記憶されていないとき、前記発信者番号に対応する発信者名を確認するためのイエローページサーバに前記発信者番号を送信するための発信者番号送信モジュールと、
前記イエローページサーバから返された前記発信者名を受信するための発信者名受信モジュールと、 
ユーザが電話着信に対する返信操作を作動させたか否かを検出するための電話着信返信検出モジュールと、
ユーザが電話着信に対する返信操作を作動させたとき、前記発信者名に基づいて前記発信者番号に対応する指定グループタイプを確定するためのグループタイプ確定モジュールと、
少なくともサービス類番号および連絡先番号が含まれるグループタイプと返信内容の対応関係に基づいて、前記指定グループタイプにマッチする指定返信内容を確定するための返信内容確定モジュールと、
前記指定返信内容を前記発信者番号に送信するための返信内容送信モジュールとを備える電話着信に対する返信装置を提供する。
【００１４】
好ましくは、更に、前記ローカルの連絡帳に前記発信者番号と一致する番号が記憶されている場合、前記ローカルの連絡帳における指定連絡先情報リストに基づいて、前記発信者番号に対応する発信者名を確定するための発信者名確定モジュールを備え、
前記指定連絡先情報リストは前記発信者番号が属する情報リストである。
【００１５】
好ましくは、更に、それぞれのグループタイプに対応する複数のグループキーワードを設定するためのグループキーワード設定モジュールと、
前記発信者名について単語分割処理を行い、少なくとも一つの単語を取得し、前記少なくとも一つの単語において、いずれかのグループタイプに対応するグループキーワードが含まれているか否かを確定し、前記少なくとも一つの単語においていずれかのグループタイプに対応するグループキーワードが含まれている場合、前記いずれかのグループタイプを前記発信者番号に対応する指定グループタイプとして確定するための前記グループタイプ確定モジュールとを備える。
【００１６】
好ましくは、更に、前記発信者名に基づいて前記発信者番号が迷惑番号であると確定したとき、現在の電話着信を拒否するための電話着信拒否モジュールを備える。
【００１７】
本発明の実施例の第４の態様によれば、端末から送信される発信者番号を受信するための発信者番号受信モジュールと、
番号情報と番号名の対応関係に基づいて、前記発信者番号に対応する発信者名を確定するための発信者名確定モジュールと、
前記発信者名を前記端末に送信するための発信者名送信モジュールとを備え、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれる電話着信に対する返信装置を提供する。
【００１８】
好ましくは、更に、複数の端末から送信される、少なくとも番号情報および番号名を含む連絡情報を受信し、受信される連絡情報に基づいて、番号情報と番号名の対応関係を生成して、前記対応関係を記憶し、または、前記複数の端末から前記連絡情報を取得し、取得された連絡情報に基づいて、番号情報と番号名の対応関係を生成して、前記対応関係を記憶するための連絡情報受信モジュールを備える。
【００１９】
本発明の実施例の第５の態様によれば、プロセッサと、
前記プロセッサが実行可能な指令を記憶するためのメモリとを備え、
前記プロセッサは、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信し、
前記イエローページサーバから返された前記発信者名を受信し、 
ユーザが電話着信に対する返信操作を作動させたか否かを検出し、
ユーザが電話着信に対する返信操作を作動させた場合、前記発信者名に基づいて前記発信者番号に対応する指定グループタイプを確定し、
少なくともサービス類番号および連絡先番号が含まれるグループタイプと返信内容の対応関係に基づいて、前記指定グループタイプにマッチする指定返信内容を確定し、
前記指定返信内容を前記発信者番号に送信するように構成される端末を提供する。
【００２０】
本発明の実施例の第６の態様によれば、プロセッサと、
前記プロセッサが実行可能な指令を記憶するためのメモリとを備え、
前記プロセッサは、端末から送信される発信者番号を受信し、
番号情報と番号名の対応関係に基づいて、前記発信者番号に対応する発信者名を確定し、
前記発信者名を前記端末に送信するように構成され、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれるサーバを提供する。
【００２１】
本発明の実施例が提供する技術的解決策は下記のような有益な効果を含むことができる。
【００２２】
電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００２３】
また、以上の一般的な説明および以下の詳細な説明は単なる例示および解釈に過ぎず、本発明を限定するものではないことを理解すべきである。
【図面の簡単な説明】
【００２４】
ここで、本願の図面は明細書に取り込まれて明細書の一部を構成し、本発明に合致する実施例を示し、また、明細書と共に本発明の原理の解釈に用いられる。
【図１】図１は本発明の背景技術にかかる一つの電話着信に対する返信の説明図である。
【図２】図２は一つの例示的な実施例にかかる一つの電話着信に対する返信方法のフローチャートである。
【図３】図３は一つの例示的な実施例にかかる一つの電話着信に対する返信方法のフローチャートである。
【図４】図４は一つの例示的な実施例にかかる一つの電話着信に対する返信方法のフローチャートである。
【図５】図５は一つの例示的な実施例にかかる一つの電話着信に対する返信の説明図である。
【図６】図６は一つの例示的な実施例にかかる一つ目の電話着信に対する返信装置のブロック図である。
【図７】図７は一つの例示的な実施例にかかる二つ目の電話着信に対する返信装置のブロック図である。
【図８】図８は一つの例示的な実施例にかかる三つ目の電話着信に対する返信装置のブロック図である。
【図９】図９は一つの例示的な実施例にかかる四つ目の電話着信に対する返信装置のブロック図である。
【図１０】図１０は一つの例示的な実施例にかかる五つ目の電話着信に対する返信装置のブロック図である。
【図１１】図１１は一つの例示的な実施例にかかる六つ目の電話着信に対する返信装置のブロック図である。
【図１２】図１２は一つの例示的な実施例にかかる一つの端末のブロック図である。
【図１３】図１３は一つの例示的な実施例にかかる一つのサーバのブロック図である。
【発明を実施するための形態】
【００２５】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２６】
本発明の実施例に対し詳細な解釈と説明を行う前に、イエローページサーバに対し簡単に説明する。
【００２７】
イエローページは、国際的に汎用されている、企業性質と製品タイプ別に編成された企業電話番号帳である。企業名、住所、電話番号を掲載するのが主な内容で、町または地域の企業戸籍謄本に相当し、国際慣例としては黄色い紙に印刷されるため、イエローページとよばれる。ネットワーク技術の急速な発展に伴い、ユーザがどこにいても番号検索ができるようにするため、元々あった紙でできたイエローページデータを電子形式でイエローページサーバに記憶するようになった。ユーザのスマートフォン、タブレットＰＣなどのスマート端末はイエローページアプリケーションをインストールした後、該イエローページアプリケーションを通じてイエローページサーバに接続して、番号検索情報の早くて便利な取得を実現することができるようになっている。ここで、イエローページサーバにはそれぞれの業種のショップまたは企業の連絡情報が記憶されてあることが可能である。
【００２８】
例えば、サービス業に属される宅配会社でいうと、イエローページサーバにおいて該会社の全ての配達員の名前と連絡先電話などの連絡情報を記憶しておくことが可能である。該会社の一人の配達員がユーザに電話をかけたとき、該ユーザはイエローページサーバを通じて直ちに現在の知らない電話番号がだれからのものであるか知ることができる。更に、端末がユーザの電話着信に対する返信操作を検出した後、イエローページサーバから返された発信者名に基づいて、発信者番号のグループタイプを確定することで、発信者番号に対応する返信内容を自動的に送信しやすくした。
【００２９】
図２は一つの例示的な実施例にかかる電話着信に対する返信方法のフローチャートである。図２に示すように、該電話着信に対する返信方法は端末に使われ、以下のようなステップを含む。
【００３０】
ステップ２０１において、電話着信呼び出しプロセスにおいて、ローカルの連絡帳に発信者番号と一致する番号が記憶されていないとき、発信者番号に対応する発信者名を確認するために使われるイエローページサーバに発信者番号を送信する。
【００３１】
ステップ２０２において、イエローページサーバから返された発信者名を受信する。
【００３２】
ステップ２０３において、ユーザが電話着信に対する返信操作を作動させたか否かを検出する。ユーザが電話着信に対する返信操作を作動させた場合、下記のステップ２０４を実行し、ユーザが電話着信に対する返信操作を作動させていない場合、処理プロセスはこれで終了する。
【００３３】
ステップ２０４において、ユーザが電話着信に対する返信操作を作動させた場合、発信者名に基づいて発信者番号に対応する指定グループタイプを確定する。
【００３４】
ステップ２０５において、グループタイプと返信内容の対応関係に基づいて、指定グループタイプにマッチする指定返信内容を確定する。グループタイプには少なくともサービス類番号および連絡先番号が含まれる。
【００３５】
ステップ２０６において、指定返信内容を発信者番号に送信する。
【００３６】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００３７】
好ましくは、イエローページサーバに発信者番号を送信する前に、該方法は更に、
ローカルの連絡帳に発信者番号と一致する番号が記憶されている場合、ローカルの連絡帳における指定連絡先情報リストに基づいて、発信者番号に対応する発信者名を確定するステップを含む。
【００３８】
ここで、指定連絡先情報リストは発信者番号が属する情報リストである。
【００３９】
好ましくは、発信者名に基づいて発信者番号に対応する指定グループタイプを確定する前、該方法は更に、
それぞれのグループタイプに対応する複数のグループキーワードを設定するステップを含み、
発信者名に基づいて発信者番号に対応する指定グループタイプを確定するステップは、
発信者名について単語分割処理を行い、少なくとも一つの単語を取得するステップと、
少なくとも一つの単語において、いずれかのグループタイプに対応するグループキーワードが含まれているか否かを確定するステップと、
少なくとも一つの単語において、いずれかのグループタイプに対応するグループキーワードが含まれている場合、前記いずれかのグループタイプを発信者番号に対応する指定グループタイプとして確定するステップを含む。
【００４０】
好ましくは、発信者名に基づいて発信者番号に対応する指定グループタイプを確定した後、該方法は更に、
発信者名に基づいて発信者番号が迷惑番号であると確定したとき、現在の電話着信を拒否するステップを含む。
【００４１】
上述した全ての好ましい技術的解決策は、任意の組み合わせを採用して本発明の好ましい実施例を成すことができ、ここでは繰り返し説明しない。
【００４２】
図３は一つの例示的な実施例にかかる電話着信に対する返信方法のフローチャートである。図３に示すように、該電話着信に対する返信方法はサーバに使われ、以下のようなステップを含む。
【００４３】
ステップ３０１において、端末から送信される発信者番号を受信する。
【００４４】
ステップ３０２において、番号情報と番号名の対応関係に基づいて、発信者番号に対応する発信者名を確定する。
【００４５】
ステップ３０３において、発信者名を端末に送信する。端末は、ユーザが電話着信に対する返信操作を作動させたとき、発信者名に基づいて発信者番号に対応する指定グループタイプを確定し、グループタイプと返信内容の対応関係に基づいて、指定グループタイプにマッチする指定返信内容を確定し、指定返信内容を発信者番号に送信するために使われる。ここで、グループタイプには少なくともサービス類番号および連絡先番号が含まれる。
【００４６】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００４７】
好ましくは、端末から送信される発信者番号を受信する前に、該方法は更に、
複数の端末から送信される、少なくとも番号情報および番号名を含む連絡情報を受信し、受信される連絡情報に基づいて、番号情報と番号名の対応関係を生成して、該対応関係を記憶するステップ、
または、
複数の端末から連絡情報を取得し、取得された連絡情報に基づいて、番号情報と番号名の対応関係を生成して、該対応関係を記憶するステップを含む。
【００４８】
上述した全ての好ましい技術的解決策は、任意の組み合わせを採用して本発明の好ましい実施例を成すことができ、ここでは繰り返し説明しない。
【００４９】
図４は一つの例示的な実施例にかかる一つの電話着信に対する返信方法のフローチャートである。インタラクションの主体は端末とイエローページサーバである。図４に示すように、該電話着信に対する返信方法は以下のようなステップを含む。
【００５０】
ステップ４０１において、電話着信呼び出しプロセスにおいて、端末はローカルの連絡帳に発信者番号と一致する番号が記憶されているか否かを検索し、ローカルの連絡帳に発信者番号と一致する番号が記憶されていない場合、下記のステップ４０２を実行し、ローカルの連絡帳に発信者番号と一致する番号が記憶されている場合は、下記のステップ４０５を実行する。
【００５１】
本発明の実施例において、電話着信呼び出しプロセルにおいて、誰からの呼び出しであるかをユーザが分かるようにするため、端末は発信者番号に対応する発信者名を検索することで、発信者名を電話番号と共に端末インタフェースに表示できるようにする。発信者番号に対応する発信者名を検索するとき、端末は優先的にローカルの連絡帳において検索を行う。ここで、端末はローカルの連絡帳に発信者番号と一致する番号があるか否かを検索するとき、下記の方法を採用して実現することができる。
【００５２】
ローカルの連絡帳を読み取り、発信者番号と、ローカルの連絡帳において記載されている全ての番号を逐一比較する。ローカルの連絡帳において記載されている全ての番号が発信者番号とマッチしないとき、ローカルの連絡帳に発信者番号と一致する番号が記憶されていないと確定する。ローカルの連絡帳において記載されているある一つの番号と発信者番号とがいずれの桁も全て同じであるとき、発信者番号と一致する番号がローカルの連絡帳に記憶されていると確定する。
【００５３】
当然ながら、上述した検索方法以外にも、その他の検索方法を採用することができ、本発明の実施例はこれに対し具体的に限定しない。
【００５４】
ステップ４０２において、ローカルの連絡帳に発信者番号と一致する番号が記憶されていない場合、イエローページサーバに発信者番号を送信する。
【００５５】
本発明の実施例において、ローカルの連絡帳に発信者番号と一致する番号が記憶されていない場合、ユーザが発信者の関連情報を知るようにするために、イエローページアプリケーションを通じて発信者番号をイエローページサーバに送信する必要がある。更に、端末において、ユーザのイエローページアプリケーションへのログイン状態が検出された後、発信者番号をイエローページサーバに自動的に送信することを実現することができる。従って、事前にユーザに指定アカウントを通じてイエローページアプリケーションにログインするように通知することも必要である。
【００５６】
ここで、端末がイエローページサーバに発信者番号を送信するとき、データ転送の安全性を確保するために、発信者番号を暗号化した後、無線送信方法を採用してイエローページサーバに送信することができる。ここで、発信者番号を暗号化するとき、ＡＥＳ（Advanced Encryption Standard）、ＤＥＳ（Data Encryption Standard）などの暗号化方法を採用することができ、本発明の実施例はこれについて具体的に限定しない。
【００５７】
ステップ４０３において、イエローページサーバは端末から送信される発信者番号を受信した後、番号情報と番号名の対応関係に基づいて、発信者番号に対応する発信者名を確定する。
【００５８】
本発明の実施例において、イエローページサーバは端末から送信されるデータを受信した後、データが暗号化状態である場合、上述したステップ４０２における暗号化アルゴリズムと逆の暗号化解除アルゴリズムを採用して暗号化を解除し、発信者番号を得ることが必要である。
【００５９】
ここで、イエローページサーバには大量の連絡情報が記憶されており、各業界に関わっている。通常、大量の記憶情報は下記の二つの方法で取得することができる。
【００６０】
第１の方法は、複数の端末から送信される連絡情報を受信し、受信した連絡情報に基づいて、番号情報と番号名の対応関係を生成し、該対応関係を記憶する。連絡情報には少なくとも番号情報および番号名が含まれる。
【００６１】
第１の方法において、各種企業およびショップは、商品の影響力を広げる、または知名度を上げるために、通常自身の連絡情報をイエローページサーバに自動的にアップロードすることを願う。更に、イエローページサーバは受信した連絡情報を処理して、対応リストを生成し、該対応リストを現在の対応関係表に挿入する。
【００６２】
第２の方法は、複数の端末から連絡情報を取得し、取得した連絡情報に基づいて、番号情報と番号名の対応関係を生成し、対応関係を記憶する。
【００６３】
第２の方法において、例えばユーザが迷惑電話を受けた後、イエローページアプリケーションはユーザに該迷惑番号を標記するように提示することができる。ユーザが標記した後、イエローページサーバはイエローページアプリケーションを通じてユーザが標記した迷惑番号を端末から取得する。管理者は各ルートを通じて能動的に各種企業およびショップの連絡情報を取得することができる。
【００６４】
該連絡情報には、番号情報および番号名が含まれる以外、更に住所情報、画像情報などが含まれてもよく、本発明の実施例は連絡情報に含まれる内容について具体的に限定しない。イエローページサーバは上述した連絡情報を記憶する際、下記の表１に示すリストの形式を採用して記憶することができ、検索がしやすい。
【００６５】
【表１】
2017504287.tif 000003
【００６６】
イエローページサーバは番号情報と番号名の対応関係に基づいて発信者番号に対応する発信者名を確定するとき、上記の表１に示すリストにおいて遍歴検索または捜索検索を行う方法で、発信者番号に対応する発信者名を素早く知ることができる。
【００６７】
ステップ４０４において、イエローページサーバは発信者番号に対応する発信者名を端末に返す。
【００６８】
本発明の実施例において、イエローページサーバは端末に発信者名を返すとき、安全性から考えて、発信者名を暗号化してから送信するようにすることができる。当然ながら、発信者名をそのまま端末に返すことも可能であり、本発明の実施例はこれについて具体的に限定しない。
【００６９】
ステップ４０５において、ローカルの連絡帳に発信者番号と一致する番号が記憶されている場合、端末はローカルの連絡帳における指定連絡先情報リストに基づいて、発信者番号に対応する発信者名を確定する。
【００７０】
本発明の実施例において、指定連絡先情報リストは発信者番号が属する情報リストである。ローカルの連絡帳に発信者番号と一致する番号が記憶されているため、ローカルの連絡帳を通じて、発信者番号に対応する発信者名を確定することができる。ローカルの連絡帳におけるそれぞれの番号が属する情報リストの全てには番号名が含まれているため、連絡先情報リストに基づいて発信者名を素早く確認することができる。ここで、連絡先情報リストは、必要な番号情報および番号名以外に、更に連絡先画像、連絡先住所、連絡先メールなどのその他情報を含むことができ、本発明の実施例はこれについて具体的に限定しない。
【００７１】
ステップ４０６において、端末はユーザが電話着信に対する返信操作を作動させたか否かを検出する。ユーザが電話着信に対する返信操作を作動させた場合、下記のステップ４０７を実行し、ユーザが電話着信に対する返信操作を作動させていない場合、処理プロセスはこれで終了する。
【００７２】
本発明の実施例において、電話着信の呼び出しのとき、端末は端末インタフェースにおいて図５における（ａ）図に示す電話着信呼び出し画面を表示する。ここで、該画面において少なくとも発信者番号、発信者名、「受信拒否」模擬キー、「通話」模擬キー、「スマート返信」模擬キーおよび「後で知らせる」模擬キーを表示する必要がある。「スマート返信」模擬キーがクリックされた後、端末はユーザが電話着信に対する返信操作を作動させたことを確定し、下記のステップ４０７ないしステップ４０９を実行することができる。
【００７３】
ステップ４０７において、ユーザが電話着信に対する返信操作を作動させたとき、端末は発信者名に基づいて発信者番号に対応する指定グループタイプを確定する。
【００７４】
本発明の実施例において、グループタイプは少なくともサービス類番号、連絡先番号および迷惑類番号を含むことができる。ここで、サービス類番号は宅配会社番号、ホテル番号、銀行番号、タクシー番号、電気通信業者番号、家事サービス番号など各種サービス類企業または個人の番号を指すことができる。連絡先番号はローカルの連絡帳における連絡先番号を指し、家族、友達、クラスメート、同僚、ビジネスパートナーなどの連絡先番号を含む。迷惑類番号は広告セールス、電信詐欺、各種不法仲介などに属される番号を指す。
【００７５】
また、端末が発信者名に基づいて発信者番号に対応する指定グループタイプを確定する前、本発明の実施例が提供する方法は更に、それぞれのグループタイプに対応する複数のグループキーワードを設定するステップを含む。例えば、サービス類番号にとって、それに対応するグループキーワードは、ホテル、宅配、銀行、タクシー、コンビニエンスストア、ファーストフード店、各種ショップ名などを含むことができる。連絡先番号にとって、それに対応するグループキーワードは、お母さん、お父さん、おばさん、おじさん、各名字、ローカルの連絡帳における連絡先の氏名などを含むことができる。連絡先番号にとって、それに対応するグループキーワードは、セールス、広告、仲介、詐欺などを含むことができる。
【００７６】
ここで、端末は発信者名に基づいて発信者番号に対応する指定グループタイプを確定するとき、下記の方法を採用して実現することができる。
【００７７】
発信者名について単語分割処理を行い、少なくとも一つの単語を取得して、少なくとも一つの単語においていずれかのグループタイプに対応するグループキーワードが含まれているか否かを確定し、少なくとも一つの単語において、いずれかのグループタイプに対応するグループキーワードが含まれている場合、前記いずれかのグループタイプを発信者番号に対応する指定グループタイプとして確定する。
【００７８】
図５における（ａ）図に示すように、電話着信が１３８＊＊＊＊９８９３であり、発信者名が「順豊宅配王さん」であることを例にすると、端末は単語分割処理を行う際、「順豊宅配王さん」を「順豊宅配」と「王さん」の二つの単語に分割する。更に、「順豊宅配」という単語は上記において言及したサービス類グループタイプに属し、サービス類番号を該発信者番号に対応する指定グループタイプとして確定する。
【００７９】
説明しなければいけないのは、該ステップにおいて発信者番号が迷惑番号であることが判断された場合、下記のステップ４０８およびステップ４０９を実行して発信者番号に自動的に返信する必要なく、該電話着信を直接拒否することを選べばよい、ということである。
【００８０】
ステップ４０８において、端末はグループタイプと返信内容の対応関係に基づいて、指定グループタイプにマッチする指定返信内容を確定する。
【００８１】
本発明の実施例において、端末はグループタイプと返信内容の対応関係に基づいて、前記指定グループタイプにマッチする指定返信内容を確定する前に、更にそれぞれのグループタイプに対応する返信内容を設定し記憶するステップを含む。ここで、それぞれのグループタイプは一種の返信内容に対応することができる。即ち、それぞれのグループタイプに含まれるサブ項目について、返信内容を更に細分することができる。例えば、サービス類番号は宅配会社番号、ホテル番号、銀行番号、タクシー番号、電気通信事業者番号、家事サービス番号などを含み、上記それぞれのタイプの番号は全て下の表２に示す異なる返信内容に対応することができる。
【００８２】
【表２】
2017504287.tif 000004
【００８３】
当然ながら、それぞれのグループタイプは同じ返信内容に対応することができ、本発明の実施例はこれについて具体的に限定しない。
【００８４】
ここで、端末はグループタイプと返信内容の対応関係に基づいて、グループタイプにマッチする指定返信内容を確定するとき、下記の方法を採用して実現することができる。
【００８５】
指定グループタイプがサービス類番号であるとき、指定グループタイプに基づいて、上記の表２に示すようなグループタイプと返信内容の対応関係において検索を行い、サービス類番号に対応する第１類指定返信内容を確定する。また指定グループタイプが連絡先番号であるとき、指定グループタイプに基づいて、上記の表２に示すようなグループタイプと返信内容の対応関係において検索し、連絡先番号に対応する第２類指定返信内容を確定する。
【００８６】
例えば、端末は、現在の電話着信が配達員からの電話着信であると判断したとき、ユーザが図５における（ａ）図に示す「スマート返信」模擬キーをクリックしたと検出した後、受信を拒否し、かつ電話着信タイプに基づいて上記の表２に示す「こんにちは！しばらく電話に出ることができません。荷物を受取指定場所に置いてください。」のような指定返信内容を自動的に返信する。
【００８７】
ステップ４０９において、端末は指定返信内容を発信者番号に送信する。
【００８８】
本発明の実施例において、端末は返信内容を発信者番号に送信した後、発信者番号に対応する端末インタフェースにおいて、図５における（ｂ）図に示すような返信内容が表示される。これによって、現在ユーザが忙しい状況にあり、返信内容に基づいてしかるべき処理を行うことができるということを、発信者に通知できるようにした。例えば、配達員王さんにとって、ユーザの荷物をユーザが返信内容において言及した受取指定場所に置くことができる。このように、発信者の体験度を向上させることができるだけでなく、ユーザが重要な用事を逃してしまうことを避けることもできる。
【００８９】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。ユーザが電話に出られないとき、発信者ができるだけ詳細な通知を得るようにすることができると同時にユーザに更に優れたサービスを提供し、ユーザの体験度が高い。
【００９０】
図６は一つの例示的な実施例にかかる一つの電話着信に対する返信装置のブロック図である。図６に示すように、該装置は発信者番号送信モジュール６０１、発信者名受信モジュール６０２、電話着信返信検出モジュール６０３、グループタイプ確定モジュール６０４、返信内容確定モジュール６０５および返信内容送信モジュール６０６を備える。
【００９１】
ここで、発信者番号送信モジュール６０１は、電話着信呼び出しプロセスにおいて、ローカルの連絡帳に発信者番号と一致する番号が記憶されていないとき、発信者番号に対応する発信者名を確定するためのイエローページサーバに発信者番号を送信する。発信者名受信モジュール６０２は発信者番号送信モジュール６０１と接続し、イエローページサーバから返された発信者名を受信する。電話着信返信検出モジュール６０３は発信者名受信モジュール６０２と接続し、ユーザが電話着信に対する返信操作を作動させたか否かを検出する。グループタイプ確定モジュール６０４は電話着信返信検出モジュール６０３と接続し、ユーザが電話着信に対する返信操作を作動させたとき、発信者名に基づいて発信者番号に対応する指定グループタイプを確定する。返信内容確定モジュール６０５はグループタイプ確定モジュール６０４と接続し、グループタイプと返信内容の対応関係に基づいて、指定グループタイプにマッチする指定返信内容を確定し、グループタイプには少なくともサービス類番号および連絡先番号が含まれる。返信内容送信モジュール６０６は返信内容確定モジュール６０５と接続し、指定返信内容を発信者番号に送信する。
【００９２】
好ましくは、図７に示すように、該装置は更に、
ローカルの連絡帳に発信者番号と一致する番号が記憶されている場合、ローカルの連絡帳における指定連絡先情報リストに基づいて、発信者番号に対応する発信者名を確定するための発信者名確定モジュール６０７を備え、
ここで、指定連絡先情報リストは発信者番号が属する情報リストである。
【００９３】
好ましくは、図８に示すように、該装置は更に、
それぞれのグループタイプに対応する複数のグループキーワードを設定するためのグループキーワード設定モジュール６０８と、
発信者名について単語分割処理を行い、少なくとも一つの単語を取得し、少なくとも一つの単語において、いずれかのグループタイプに対応するグループキーワードが含まれているか否かを確定し、少なくとも一つの単語においていずれかのグループタイプに対応するグループキーワードが含まれている場合、前記いずれかのグループタイプを発信者番号に対応する指定グループタイプとして確定するためのグループタイプ確定モジュール６０９とを備える。
【００９４】
好ましくは、図９に示すように、該装置は更に、
発信者名に基づいて発信者番号が迷惑番号であると確定したとき、現在の電話着信を拒否するための電話着信拒否モジュール６１０を備える。
【００９５】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００９６】
図１０は一つの例示的な実施例にかかる電話着信に対する返信装置のブロック図である。図１０に示すように、該装置は発信者番号受信モジュール１００１、発信者名確定モジュール１００２および発信者名送信モジュール１００３を備える。
【００９７】
ここで、発信者番号受信モジュール１００１は、端末から送信される発信者番号を受信する。発信者名確定モジュール１００２は発信者番号受信モジュール１００１と接続し、番号情報と番号名の対応関係に基づいて、発信者番号に対応する発信者名を確定する。発信者名送信モジュール１００３は発信者名確定モジュール１００２と接続し、発信者名を端末に送信する。端末は、ユーザが電話着信に対する返信操作を作動させたとき、発信者名に基づいて発信者番号に対応する指定グループタイプを確定し、グループタイプと返信内容の対応関係に基づいて、指定グループタイプにマッチする指定返信内容を確定し、指定返信内容を発信者番号に送信するために使われる。グループタイプには少なくともサービス類番号および連絡先番号が含まれる。
【００９８】
好ましくは、図１１に示すように、該装置は更に、
複数の端末から送信される、少なくとも番号情報および番号名を含む連絡情報を受信し、受信される連絡情報に基づいて、番号情報と番号名の対応関係を生成し、該対応関係を記憶し、または、複数の端末から前記連絡情報を取得し、取得された連絡情報に基づいて、番号情報と番号名の対応関係を生成して、該対応関係を記憶するための連絡情報受信モジュール１００４を備える。
【００９９】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【０１００】
上述した実施例における装置に関しては、それぞれのモジュールが操作を実行する具体的な方法は既に関連する実施例において詳細な説明を行っており、ここでは繰り返し説明しない。
【０１０１】
図１２は一つの例示的な実施例にかかる電話着信に対し返信を行う端末１２００のブロック図である。例えば、端末１２００は、携帯電話、コンピューター、デジタル放送端末、メッセージ送受信デバイス、ゲームコンソール、タブレットデバイス、医療デバイス、健康デバイス、パーソナルデジタルアシスタント等であってもよい。
【０１０２】
図１２を参照して、端末１２００は、プロセス部材１２０２、メモリ１２０４、電源部材１２０６、マルチメディア部材１２０８、オーディオ部材１２１０、入出力（Ｉ／Ｏ、Ｉｎｐｕｔ／Ｏｕｔｐｕｔ）インターフェイス１２１２、センサ部材１２１４、及び通信部材１２１６のような一つ以上の部材を含んでよい。
【０１０３】
プロセス部材１２０８は、一般的には端末１２００の全体の操作を制御するものであり、例えば、表示、電話呼び出し、データ通信、カメラ操作、及び記録操作と関連する操作を制御する。プロセス部材１２０８は、一つ以上のプロセッサ１２２０を含み、これらによって命令を実行することにより、上記の方法の全部、或いは一部のステップを実現するようにしてもよい。なお、プロセス部材１２０８は、一つ以上のモジュールを含み、これらによってプロセス部材１２０８と他の部材の間のインタラクションを容易にするようにしてもよい。例えば、プロセス部材１２０８は、マルチメディアモジュールを含み、これらによってマルチメディア部材１２０８とプロセス部材１２０８の間のインタラクションを容易にするようにしてもよい。
【０１０４】
メモリ１２０４は、各種類のデータを記憶することにより端末１２００の操作を支援するように構成される。これらのデータの例は、端末１２００において操作されるいずれのアプリケーションプログラム又は方法の命令、連絡対象データ、電話帳データ、メッセージ、画像、ビデオ等を含む。メモリ１２０４は、いずれの種類の揮発性、不揮発性記憶デバイスまたはそれらの組み合わせによって実現されてもよく、例えば、ＳＲＡＭ（Static Random Access Memory）、ＥＥＰＲＯＭ（Electrically Erasable Programmable Read Only Memory）、ＥＰＲＯＭ（Erasable Programmable ROM）、ＰＲＯＭ（Programmable ROM）、ＲＯＭ（Ｒｅａｄ−Ｏｎｌｙ  Ｍｅｍｏｒｙ）、磁気メモリ、フラッシュメモリ、磁気ディスク、或いは光ディスクである。
【０１０５】
電源部材１２０６は、端末１２００の多様な部材に電力を供給する。電源部材１２０６は、電源管理システム、一つ以上の電源、及び端末１２００のための電力の生成、管理及び割り当てに関連する他の部材を含んでもよい。
【０１０６】
マルチメディア部材１２０８は、前記端末１２００とユーザの間に一つの出力インターフェイスを提供するスクリーンを含む。上記の実施例において、スクリーンは液晶モニター（ＬＣＤ、Ｌｉｑｕｉｄ  Ｃｒｓｔａｌ  Ｄｉｓｐｌａｙ）とタッチパネル（ＴＰ、Ｔｏｕｃｈ  Ｐａｎｅｌ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１２０８は、一つのフロントカメラ、及び／又はリアカメラを含む。端末１２００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【０１０７】
オーディオ部材１２１０は、オーディオ信号を入出力するように構成されてもよい。例えば、オーディオ部材１２１０は、一つのマイク（ＭＩＣ、Ｍｉｃｒｏｕｐｈｏｎｅ）を含み、端末１２００が、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信部材１２１６を介して送信されたりされる。上記の実施例において、オーディオ部材１２１０は、オーディオ信号を出力するための一つのスピーカーをさらに含む。
【０１０８】
Ｉ／Ｏインターフェイス１２１２は、プロセス部材１２０８と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【０１０９】
センサ部材１２１４は、端末１２００に各方面の状態に対する評価を提供するための一つ以上のセンサを含む。例えば、センサ部材１２１４は、端末１２００のＯＮ／ＯＦＦ状態、端末１２００のディスプレイと小さなキーパッドのような部材の相対的な位置決めを検出できる。また、例えば、センサ部材１２１４は、端末１２００、或いは端末１２００の一つの部材の位置変更、ユーザと端末１２００とが接触しているか否か、端末１２００の方位、又は加速／減速、端末１２００の温度の変化を検出できる。センサ部材１２１４は、何れの物理的接触がない状態にて付近の物体の存在を検出するための近接センサを含んでもよい。センサ部材１２１４は、撮影アプリケーションに適用するため、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、又はＣＣＤ（Ｃｈａｒｇｅ−ｃｏｎｕｐｌｅｄ  Ｄｅｖｉｃｅ）イメージセンサのような光センサを含んでもよい。上記の実施例において、当該センサ部材１２１４は、加速度センサ、ジャイロスコープセンサ、磁気センサ、圧力センサ、及び温度センサをさらに含んでもよい。
【０１１０】
通信部材１２１６は、端末１２００と他の機器の間に有線、又は無線形態の通信を提供する。端末１２００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１２１６は、放送チャンネルを介して外部の放送管理システムからの放送信号、又は放送に関連する情報を受信する。一つの例示的な実施例において、前記通信部材１２１６は、近距離無線通信（ＮＦＣ、Ｎｅａｒ  Ｆｉｅｌｄ  Ｃｏｍｍｕｎｉｃａｔｉｏｎ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａ−ｒｅｄ  Ｄａｔａ  Ａｓｓｏｃｉａｔｉｏｎ）技術、ＵＷＢ（Ｕｌｔｒａ  Ｗｉｄｅｂａｎｄ）技術、ＢＴ（Ｂｌｕｅｔｏｏｔｈ（登録商標））技術、他の技術に基づいて実現できる。
【０１１１】
例示的な実施例において、端末１２００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  ｓｉｇｎａｌ  Ｐｒｏｃｅｓｓｏｒ）、ＤＳＰＤ（Ｄｉｇｉｔａｌ  ｓｉｇｎａｌ  Ｐｒｏｃｅｓｓｏｒ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１１２】
例示的な実施例において、さらに、命令を含むコンピュータ読取り可能な非一時的な記録媒体、例えば命令を含むメモリ１２０４を提供しており、端末１２００のプロセッサ１２２０により上記命令を実行して上記方法を実現する。例えば、前記コンピュータ読取り可能な非一時的な記録媒体は、ＲＯＭ、ＲＡＭ（Ｒａｎｄｏｍ  Ａｃｃｅｓｓ  Ｍｅｍｏｒｙ）、ＣＤ-ＲＯＭ（Ｃｏｍｐａｃｔ  Ｄｉｓｃ  Ｒｅａｄ−Ｏｎｌｙ  Ｍｅｍｏｒｙ）、磁気テープ、フロッピー（登録商標）ディスク、光データ記憶デバイス等である。
【０１１３】
コンピュータ読み取り可能な非一時的な記憶媒体は、前記記憶媒体の指令が移動端末のプロセッサによって実行されるとき、移動端末が電話着信に対する返信方法を実行できるようにするが、前記方法は、
電話着信呼び出しプロセスにおいて、ローカルの連絡帳に発信者番号と一致する番号が記憶されていないとき、発信者番号に対応する発信者名を確認するために使われるイエローページサーバに発信者番号を送信するステップと、
イエローページサーバから返された発信者名を受信するステップと、 
ユーザが電話着信に対する返信操作を作動させたか否かを検出するステップと、
ユーザが電話着信に対する返信操作を作動させた場合、発信者名に基づいて発信者番号に対応する指定グループタイプを確定するステップと、
少なくともサービス類番号および連絡先番号が含まれるグループタイプと返信内容の対応関係に基づいて、指定グループタイプにマッチする指定返信内容を確定するステップと、
指定返信内容を発信者番号に送信するステップとを含む。
【０１１４】
好ましくは、イエローページサーバに発信者番号を送信する前に、更に、
ローカルの連絡帳に発信者番号と一致する番号が記憶されている場合、ローカルの連絡帳における指定連絡先情報リストに基づいて、発信者番号に対応する発信者名を確定するステップを含み、
指定連絡先情報リストは発信者番号が属する情報リストである。
【０１１５】
好ましくは、発信者名に基づいて発信者番号に対応する指定グループタイプを確定する前に、更に、
それぞれのグループタイプに対応する複数のグループキーワードを設定するステップを含み、
発信者名に基づいて発信者番号に対応する指定グループタイプを確定するステップは、
発信者名について単語分割処理を行い、少なくとも一つの単語を取得するステップと、
少なくとも一つの単語において、いずれかのグループタイプに対応するグループキーワードが含まれているか否かを確定するステップと、
少なくとも一つの単語において、いずれかのグループタイプに対応するグループキーワードが含まれている場合、いずれかのグループタイプを発信者番号に対応する指定グループタイプとして確定するステップとを含む。
【０１１６】
好ましくは、発信者名に基づいて発信者番号に対応する指定グループタイプを確定した後、更に、
発信者名に基づいて発信者番号が迷惑番号であると確定したとき、現在の電話着信を拒否するステップを含む。
【０１１７】
本発明の実施例が提供するコンピュータ読み取り可能な非一時的な記憶媒体は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【０１１８】
図１３は一つの例示的な実施例にかかる電話着信に対する返信のためのサーバ１３００のブロック図である。例えば、サーバ１３００を一つのサーバとして提供することができる。図１３に示すように、サーバ１３００は、一つ又は複数のプロセッサを有する処理部材１３２２、及びメモリ１３３２を代表とする記憶装置を備える。該記憶装置は、例えばアプリケーションプログラムのような、処理部材１３２２によって実行される指令を記憶するために使われる。メモリ１３３２に記憶されるアプリケーションプログラムは、一つ又は複数の、それぞれ一組の指令に対応するモジュールを含むことができる。また、処理部材１３２２は指令を実行するように構成され、上記の電話着信に対する返信方法におけるイエローページサーバが実行する方法を実行する。
【０１１９】
サーバ１３００は更に、サーバ１３００の電源の管理を実行するように配置された電源部材１３２６、サーバ１３００をネットワークに接続するように構成される一つの有線又は無線ネットワークインターフェース１３５０及び一つの入力／出力（Ｉ／Ｏ）インタフェース１３５８を備える。サーバ１３００はメモリ１３３２に記憶された、例えばＷｉｎｄｏｕｓ  Ｓｅｒｖｅｒ（登録商標）、Ｍａｃ  ０Ｓ  Ｘ（登録商標）、Ｕｎｉｘ（登録商標）、Ｌｉｎｕｘ（登録商標）、ＦｒｅｅＢＳＤ（登録商標）または類似のオペレーティングシステムに基づいて操作することができる。
【０１２０】
当業者は明細書を検討し、ここで開示した発明を実践した後、本発明のその他の実施形態を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１２１】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【０１２２】
本願は出願番号が２０１４１０８３２１８３．３であり、出願日が２０１４年１２月２７日である中国特許出願に基づき、優先権を主張し、当該中国特許出願の全ての内容は本願に援用される。
【図１】
2017504287.tif 000005
【図２】
2017504287.tif 000006
【図３】
2017504287.tif 000007
【図４】
2017504287.tif 000008
【図５】
2017504287.tif 000009
【図６】
2017504287.tif 000010
【図７】
2017504287.tif 000011
【図８】
2017504287.tif 000012
【図９】
2017504287.tif 000013
【図１０】
2017504287.tif 000014
【図１１】
2017504287.tif 000015
【図１２】
2017504287.tif 000016
【図１３】
2017504287.tif 000017
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信するステップと、
前記イエローページサーバから返された前記発信者名を受信するステップと、 
ユーザが電話着信に対する返信操作を作動させたか否かを検出するステップと、
ユーザが電話着信に対する返信操作を作動させた場合、前記発信者名に基づいて前記発信者番号に対応する指定グループタイプを確定するステップと、
少なくともサービス類番号および連絡先番号が含まれるグループタイプと返信内容の対応関係に基づいて、前記指定グループタイプにマッチする指定返信内容を確定するステップと、
前記指定返信内容を前記発信者番号に送信するステップとを含むことを特徴とする電話着信に対する返信方法。
【請求項２】
前記イエローページサーバに前記発信者番号を送信する前に、更に、
前記ローカルの連絡帳に前記発信者番号と一致する番号が記憶されている場合、前記ローカルの連絡帳における指定連絡先情報リストに基づいて、前記発信者番号に対応する発信者名を確定するステップを含み、
前記指定連絡先情報リストは前記発信者番号が属する情報リストであることを特徴とする請求項１に記載の電話着信に対する返信方法。
【請求項３】
前記発信者名に基づいて前記発信者番号に対応する指定グループタイプを確定する前に、更に、
それぞれのグループタイプに対応する複数のグループキーワードを設定するステップを含み、
前記発信者名に基づいて前記発信者番号に対応する指定グループタイプを確定するステップは、
前記発信者名について単語分割処理を行い、少なくとも一つの単語を取得するステップと、
前記少なくとも一つの単語において、いずれかのグループタイプに対応するグループキーワードが含まれているか否かを確定するステップと、
前記少なくとも一つの単語において、いずれかのグループタイプに対応するグループキーワードが含まれている場合、前記いずれかのグループタイプを前記発信者番号に対応する指定グループタイプとして確定するステップとを含むことを特徴とする請求項１に記載の電話着信に対する返信方法。
【請求項４】
前記発信者名に基づいて前記発信者番号に対応する指定グループタイプを確定した後、更に、
前記発信者名に基づいて前記発信者番号が迷惑番号であると確定したとき、現在の電話着信を拒否するステップを含むことを特徴とする請求項１ないし請求項３のいずれかに記載の電話着信に対する返信方法。
【請求項５】
端末から送信される発信者番号を受信するステップと、
番号情報と番号名の対応関係に基づいて、前記発信者番号に対応する発信者名を確定するステップと、
前記発信者名を前記端末に送信するステップとを含み、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とする電話着信に対する返信方法。
【請求項６】
端末から送信される発信者番号を受信する前に、更に、
複数の端末から送信される、少なくとも番号情報および番号名を含む連絡情報を受信し、受信される連絡情報に基づいて、番号情報と番号名の対応関係を生成して、前記対応関係を記憶するステップ、
または、
前記複数の端末から前記連絡情報を取得し、取得された連絡情報に基づいて、番号情報と番号名の対応関係を生成して、前記対応関係を記憶するステップを含むことを特徴とする請求項５に記載の電話着信に対する返信方法。
【請求項７】
電話着信呼び出しプロセスにおいて、ローカルの連絡帳に発信者番号と一致する番号が記憶されていないとき、前記発信者番号に対応する発信者名を確認するためのイエローページサーバに前記発信者番号を送信するための発信者番号送信モジュールと、
前記イエローページサーバから返された前記発信者名を受信するための発信者名受信モジュールと、 
ユーザが電話着信に対する返信操作を作動させたか否かを検出するための電話着信返信検出モジュールと、
ユーザが電話着信に対する返信操作を作動させたとき、前記発信者名に基づいて前記発信者番号に対応する指定グループタイプを確定するためのグループタイプ確定モジュールと、
少なくともサービス類番号および連絡先番号が含まれるグループタイプと返信内容の対応関係に基づいて、前記指定グループタイプにマッチする指定返信内容を確定するための返信内容確定モジュールと、
前記指定返信内容を前記発信者番号に送信するための返信内容送信モジュールとを備えることを特徴とする電話着信に対する返信装置。
【請求項８】
更に、前記ローカルの連絡帳に前記発信者番号と一致する番号が記憶されている場合、前記ローカルの連絡帳における指定連絡先情報リストに基づいて、前記発信者番号に対応する発信者名を確定するための発信者名確定モジュールを備え、
前記指定連絡先情報リストは前記発信者番号が属する情報リストであることを特徴とする請求項７に記載の電話着信に対する返信装置。
【請求項９】
更に、それぞれのグループタイプに対応する複数のグループキーワードを設定するためのグループキーワード設定モジュールと、
前記発信者名について単語分割処理を行い、少なくとも一つの単語を取得し、前記少なくとも一つの単語において、いずれかのグループタイプに対応するグループキーワードが含まれているか否かを確定し、前記少なくとも一つの単語においていずれかのグループタイプに対応するグループキーワードが含まれている場合、前記いずれかのグループタイプを前記発信者番号に対応する指定グループタイプとして確定するための前記グループタイプ確定モジュールとを備えることを特徴とする請求項７に記載の電話着信に対する返信装置。
【請求項１０】
更に、前記発信者名に基づいて前記発信者番号が迷惑番号であると確定したとき、現在の電話着信を拒否するための電話着信拒否モジュールを備えることを特徴とする請求項７ないし請求項９のいずれかに記載の電話着信に対する返信装置。
【請求項１１】
端末から送信される発信者番号を受信するための発信者番号受信モジュールと、
番号情報と番号名の対応関係に基づいて、前記発信者番号に対応する発信者名を確定するための発信者名確定モジュールと、
前記発信者名を前記端末に送信するための発信者名送信モジュールとを備え、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とする電話着信に対する返信装置。
【請求項１２】
更に、複数の端末から送信される、少なくとも番号情報および番号名を含む連絡情報を受信し、受信される連絡情報に基づいて、番号情報と番号名の対応関係を生成して、前記対応関係を記憶し、または、前記複数の端末から前記連絡情報を取得し、取得された連絡情報に基づいて、番号情報と番号名の対応関係を生成して、前記対応関係を記憶するための連絡情報受信モジュールを備えることを特徴とする請求項１１に記載の電話着信に対する返信装置。
【請求項１３】
プロセッサと、
前記プロセッサが実行可能な指令を記憶するためのメモリとを備え、
前記プロセッサは、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信し、
前記イエローページサーバから返された前記発信者名を受信し、 
ユーザが電話着信に対する返信操作を作動させたか否かを検出し、
ユーザが電話着信に対する返信操作を作動させた場合、前記発信者名に基づいて前記発信者番号に対応する指定グループタイプを確定し、
少なくともサービス類番号および連絡先番号が含まれるグループタイプと返信内容の対応関係に基づいて、前記指定グループタイプにマッチする指定返信内容を確定し、
前記指定返信内容を前記発信者番号に送信するように構成されることを特徴とする端末。
【請求項１４】
プロセッサと、
前記プロセッサが実行可能な指令を記憶するためのメモリとを備え、
前記プロセッサは、端末から送信される発信者番号を受信し、
番号情報と番号名の対応関係に基づいて、前記発信者番号に対応する発信者名を確定し、
前記発信者名を前記端末に送信するように構成され、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれることを特徴とするサーバ。
【請求項１５】
プロセッサに実行されることにより、請求項１から請求項６のいずれかに記載の電話着信に対する返信方法を実現する記録媒体に記録されたプログラム。
【請求項１６】
請求項１５に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は通信技術分野に関わり、特に電話着信に対する返信方法、装置、端末、サーバ、プログラム及び記録媒体に関わる。
【背景技術】
【０００２】
日常生活において、会議または休憩などの場面で他人からの電話着信を受信することがよくある。前もって妨害禁止モードに設定している場合は、該電話着信を無視するという選択ができるが、前もって妨害禁止モードに設定していない場合は、電話着信が会議の進展またはユーザ自身の休憩に影響を与えるという理由から、通常ユーザは手動で電話着信を拒否することを選択する。これは、ユーザと発信者の両方にとってひどい体験である。このとき、電話着信に返信する方法を提供することができれば、ユーザが重要な用事を逃してしまうことを防止するだけでなく、発信者の体験を向上させることもできる。
【０００３】
図１に示すように、関連技術において、ユーザが電話着信を受信した後、電話着信インタフェースにおいて一つの「メッセージ」オプションが表示され、ユーザは現在電話着信に出られない場合、該オプションをクリックして電話着信を拒否し、手動方式でＳＭＳを編集して、発信者番号にＳＭＳを返信することで、発信者に現在電話着信に出られないことを伝えることができる。
【０００４】
本発明を実現するプロセスにおいて、発明者は当該技術に少なくとも以下のような問題が存在することに気づいた。
【０００５】
多くの場合において、電話着信に出られないと同時に手動でＳＭＳを編集かつ返信できない可能性もあるため、このような電話着信に対する返信方法は操作が複雑で、スマートではなく、簡易性に欠けている。
【発明の概要】
【０００６】
関連技術に存在する問題を解決するために、本発明は電話着信に対する返信方法、装置、端末、サーバ、プログラム及び記録媒体を提供する。
【０００７】
本発明の実施例の第１の態様によれば、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信するステップと、
前記イエローページサーバから返された前記発信者名を受信するステップと、 
ユーザが電話着信に対する返信操作を作動させたか否かを検出するステップと、
ユーザが電話着信に対する返信操作を作動させた場合、前記発信者名に基づいて前記発信者番号に対応する指定グループタイプを確定するステップと、
少なくともサービス類番号および連絡先番号が含まれるグループタイプと返信内容の対応関係に基づいて、前記指定グループタイプにマッチする指定返信内容を確定するステップと、
前記指定返信内容を前記発信者番号に送信するステップとを含む電話着信に対する返信方法を提供する。
【０００８】
好ましくは、前記イエローページサーバに前記発信者番号を送信する前に、更に、
前記ローカルの連絡帳に前記発信者番号と一致する番号が記憶されている場合、前記ローカルの連絡帳における指定連絡先情報リストに基づいて、前記発信者番号に対応する発信者名を確定するステップを含み、
前記指定連絡先情報リストは前記発信者番号が属する情報リストである。
【０００９】
好ましくは、前記発信者名に基づいて前記発信者番号に対応する指定グループタイプを確定する前に、更に、
それぞれのグループタイプに対応する複数のグループキーワードを設定するステップを含み、
前記発信者名に基づいて前記発信者番号に対応する指定グループタイプを確定するステップは、
前記発信者名について単語分割処理を行い、少なくとも一つの単語を取得するステップと、
前記少なくとも一つの単語において、いずれかのグループタイプに対応するグループキーワードが含まれているか否かを確定するステップと、
前記少なくとも一つの単語において、いずれかのグループタイプに対応するグループキーワードが含まれている場合、前記いずれかのグループタイプを前記発信者番号に対応する指定グループタイプとして確定するステップとを含む。
【００１０】
好ましくは、前記発信者名に基づいて前記発信者番号に対応する指定グループタイプを確定した後、更に、
前記発信者名に基づいて前記発信者番号が迷惑番号であると確定したとき、現在の電話着信を拒否するステップを含む。
【００１１】
本発明の実施例の第２の態様によれば、端末から送信される発信者番号を受信するステップと、
番号情報と番号名の対応関係に基づいて、前記発信者番号に対応する発信者名を確定するステップと、
前記発信者名を前記端末に送信するステップとを含み、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれる電話着信に対する返信方法を提供する。
【００１２】
好ましくは、端末から送信される発信者番号を受信する前に、更に、
複数の端末から送信される、少なくとも番号情報および番号名を含む連絡情報を受信し、受信される連絡情報に基づいて、番号情報と番号名の対応関係を生成して、前記対応関係を記憶するステップ、
または、
前記複数の端末から前記連絡情報を取得し、取得された連絡情報に基づいて、番号情報と番号名の対応関係を生成して、前記対応関係を記憶するステップを含む。
【００１３】
本発明の実施例の第３の態様によれば、電話着信呼び出しプロセスにおいて、ローカルの連絡帳に発信者番号と一致する番号が記憶されていないとき、前記発信者番号に対応する発信者名を確認するためのイエローページサーバに前記発信者番号を送信するための発信者番号送信モジュールと、
前記イエローページサーバから返された前記発信者名を受信するための発信者名受信モジュールと、 
ユーザが電話着信に対する返信操作を作動させたか否かを検出するための電話着信返信検出モジュールと、
ユーザが電話着信に対する返信操作を作動させたとき、前記発信者名に基づいて前記発信者番号に対応する指定グループタイプを確定するためのグループタイプ確定モジュールと、
少なくともサービス類番号および連絡先番号が含まれるグループタイプと返信内容の対応関係に基づいて、前記指定グループタイプにマッチする指定返信内容を確定するための返信内容確定モジュールと、
前記指定返信内容を前記発信者番号に送信するための返信内容送信モジュールとを備える電話着信に対する返信装置を提供する。
【００１４】
好ましくは、更に、前記ローカルの連絡帳に前記発信者番号と一致する番号が記憶されている場合、前記ローカルの連絡帳における指定連絡先情報リストに基づいて、前記発信者番号に対応する発信者名を確定するための発信者名確定モジュールを備え、
前記指定連絡先情報リストは前記発信者番号が属する情報リストである。
【００１５】
好ましくは、更に、それぞれのグループタイプに対応する複数のグループキーワードを設定するためのグループキーワード設定モジュールと、
前記発信者名について単語分割処理を行い、少なくとも一つの単語を取得し、前記少なくとも一つの単語において、いずれかのグループタイプに対応するグループキーワードが含まれているか否かを確定し、前記少なくとも一つの単語においていずれかのグループタイプに対応するグループキーワードが含まれている場合、前記いずれかのグループタイプを前記発信者番号に対応する指定グループタイプとして確定するための前記グループタイプ確定モジュールとを備える。
【００１６】
好ましくは、更に、前記発信者名に基づいて前記発信者番号が迷惑番号であると確定したとき、現在の電話着信を拒否するための電話着信拒否モジュールを備える。
【００１７】
本発明の実施例の第４の態様によれば、端末から送信される発信者番号を受信するための発信者番号受信モジュールと、
番号情報と番号名の対応関係に基づいて、前記発信者番号に対応する発信者名を確定するための発信者名確定モジュールと、
前記発信者名を前記端末に送信するための発信者名送信モジュールとを備え、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれる電話着信に対する返信装置を提供する。
【００１８】
好ましくは、更に、複数の端末から送信される、少なくとも番号情報および番号名を含む連絡情報を受信し、受信される連絡情報に基づいて、番号情報と番号名の対応関係を生成して、前記対応関係を記憶し、または、前記複数の端末から前記連絡情報を取得し、取得された連絡情報に基づいて、番号情報と番号名の対応関係を生成して、前記対応関係を記憶するための連絡情報受信モジュールを備える。
【００１９】
本発明の実施例の第５の態様によれば、プロセッサと、
前記プロセッサが実行可能な指令を記憶するためのメモリとを備え、
前記プロセッサは、電話着信呼び出しプロセスにおいて、ローカルの連絡帳に発信者番号と一致する番号が記憶されていないとき、前記発信者番号に対応する発信者名を確認するために使われるイエローページサーバに前記発信者番号を送信し、
前記イエローページサーバから返された前記発信者名を受信し、 
ユーザが電話着信に対する返信操作を作動させたか否かを検出し、
ユーザが電話着信に対する返信操作を作動させた場合、前記発信者名に基づいて前記発信者番号に対応する指定グループタイプを確定し、
少なくともサービス類番号および連絡先番号が含まれるグループタイプと返信内容の対応関係に基づいて、前記指定グループタイプにマッチする指定返信内容を確定し、
前記指定返信内容を前記発信者番号に送信するように構成される端末を提供する。
【００２０】
本発明の実施例の第６の態様によれば、プロセッサと、
前記プロセッサが実行可能な指令を記憶するためのメモリとを備え、
前記プロセッサは、端末から送信される発信者番号を受信し、
番号情報と番号名の対応関係に基づいて、前記発信者番号に対応する発信者名を確定し、
前記発信者名を前記端末に送信するように構成され、
前記端末は、ユーザが電話着信に対する返信操作を作動させたとき、前記発信者名に基づいて前記発信者番号に対応する指定グループタイプを確定し、グループタイプと返信内容の対応関係に基づいて、前記指定グループタイプにマッチする指定返信内容を確定し、前記指定返信内容を前記発信者番号に送信するために使われ、
前記グループタイプには少なくともサービス類番号および連絡先番号が含まれるサーバを提供する。
本発明の実施例の第７の態様によれば、プロセッサに実行されることにより、前記電話着信に対する返信方法を実現する記録媒体に記録されたプログラムを提供する。
本発明の実施例の第８の態様によれば、前記プログラムが記録された記録媒体を提供する。
【００２１】
本発明の実施例が提供する技術的解決策は下記のような有益な効果を含むことができる。
【００２２】
電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００２３】
また、以上の一般的な説明および以下の詳細な説明は単なる例示および解釈に過ぎず、本発明を限定するものではないことを理解すべきである。
【図面の簡単な説明】
【００２４】
ここで、本願の図面は明細書に取り込まれて明細書の一部を構成し、本発明に合致する実施例を示し、また、明細書と共に本発明の原理の解釈に用いられる。
【図１】図１は本発明の背景技術にかかる一つの電話着信に対する返信の説明図である。
【図２】図２は一つの例示的な実施例にかかる一つの電話着信に対する返信方法のフローチャートである。
【図３】図３は一つの例示的な実施例にかかる一つの電話着信に対する返信方法のフローチャートである。
【図４】図４は一つの例示的な実施例にかかる一つの電話着信に対する返信方法のフローチャートである。
【図５】図５は一つの例示的な実施例にかかる一つの電話着信に対する返信の説明図である。
【図６】図６は一つの例示的な実施例にかかる一つ目の電話着信に対する返信装置のブロック図である。
【図７】図７は一つの例示的な実施例にかかる二つ目の電話着信に対する返信装置のブロック図である。
【図８】図８は一つの例示的な実施例にかかる三つ目の電話着信に対する返信装置のブロック図である。
【図９】図９は一つの例示的な実施例にかかる四つ目の電話着信に対する返信装置のブロック図である。
【図１０】図１０は一つの例示的な実施例にかかる五つ目の電話着信に対する返信装置のブロック図である。
【図１１】図１１は一つの例示的な実施例にかかる六つ目の電話着信に対する返信装置のブロック図である。
【図１２】図１２は一つの例示的な実施例にかかる一つの端末のブロック図である。
【図１３】図１３は一つの例示的な実施例にかかる一つのサーバのブロック図である。
【発明を実施するための形態】
【００２５】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２６】
本発明の実施例に対し詳細な解釈と説明を行う前に、イエローページサーバに対し簡単に説明する。
【００２７】
イエローページは、国際的に汎用されている、企業性質と製品タイプ別に編成された企業電話番号帳である。企業名、住所、電話番号を掲載するのが主な内容で、町または地域の企業戸籍謄本に相当し、国際慣例としては黄色い紙に印刷されるため、イエローページとよばれる。ネットワーク技術の急速な発展に伴い、ユーザがどこにいても番号検索ができるようにするため、元々あった紙でできたイエローページデータを電子形式でイエローページサーバに記憶するようになった。ユーザのスマートフォン、タブレットＰＣなどのスマート端末はイエローページアプリケーションをインストールした後、該イエローページアプリケーションを通じてイエローページサーバに接続して、番号検索情報の早くて便利な取得を実現することができるようになっている。ここで、イエローページサーバにはそれぞれの業種のショップまたは企業の連絡情報が記憶されてあることが可能である。
【００２８】
例えば、サービス業に属される宅配会社でいうと、イエローページサーバにおいて該会社の全ての配達員の名前と連絡先電話などの連絡情報を記憶しておくことが可能である。該会社の一人の配達員がユーザに電話をかけたとき、該ユーザはイエローページサーバを通じて直ちに現在の知らない電話番号がだれからのものであるか知ることができる。更に、端末がユーザの電話着信に対する返信操作を検出した後、イエローページサーバから返された発信者名に基づいて、発信者番号のグループタイプを確定することで、発信者番号に対応する返信内容を自動的に送信しやすくした。
【００２９】
図２は一つの例示的な実施例にかかる電話着信に対する返信方法のフローチャートである。図２に示すように、該電話着信に対する返信方法は端末に使われ、以下のようなステップを含む。
【００３０】
ステップ２０１において、電話着信呼び出しプロセスにおいて、ローカルの連絡帳に発信者番号と一致する番号が記憶されていないとき、発信者番号に対応する発信者名を確認するために使われるイエローページサーバに発信者番号を送信する。
【００３１】
ステップ２０２において、イエローページサーバから返された発信者名を受信する。
【００３２】
ステップ２０３において、ユーザが電話着信に対する返信操作を作動させたか否かを検出する。ユーザが電話着信に対する返信操作を作動させた場合、下記のステップ２０４を実行し、ユーザが電話着信に対する返信操作を作動させていない場合、処理プロセスはこれで終了する。
【００３３】
ステップ２０４において、ユーザが電話着信に対する返信操作を作動させた場合、発信者名に基づいて発信者番号に対応する指定グループタイプを確定する。
【００３４】
ステップ２０５において、グループタイプと返信内容の対応関係に基づいて、指定グループタイプにマッチする指定返信内容を確定する。グループタイプには少なくともサービス類番号および連絡先番号が含まれる。
【００３５】
ステップ２０６において、指定返信内容を発信者番号に送信する。
【００３６】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００３７】
好ましくは、イエローページサーバに発信者番号を送信する前に、該方法は更に、
ローカルの連絡帳に発信者番号と一致する番号が記憶されている場合、ローカルの連絡帳における指定連絡先情報リストに基づいて、発信者番号に対応する発信者名を確定するステップを含む。
【００３８】
ここで、指定連絡先情報リストは発信者番号が属する情報リストである。
【００３９】
好ましくは、発信者名に基づいて発信者番号に対応する指定グループタイプを確定する前、該方法は更に、
それぞれのグループタイプに対応する複数のグループキーワードを設定するステップを含み、
発信者名に基づいて発信者番号に対応する指定グループタイプを確定するステップは、
発信者名について単語分割処理を行い、少なくとも一つの単語を取得するステップと、
少なくとも一つの単語において、いずれかのグループタイプに対応するグループキーワードが含まれているか否かを確定するステップと、
少なくとも一つの単語において、いずれかのグループタイプに対応するグループキーワードが含まれている場合、前記いずれかのグループタイプを発信者番号に対応する指定グループタイプとして確定するステップを含む。
【００４０】
好ましくは、発信者名に基づいて発信者番号に対応する指定グループタイプを確定した後、該方法は更に、
発信者名に基づいて発信者番号が迷惑番号であると確定したとき、現在の電話着信を拒否するステップを含む。
【００４１】
上述した全ての好ましい技術的解決策は、任意の組み合わせを採用して本発明の好ましい実施例を成すことができ、ここでは繰り返し説明しない。
【００４２】
図３は一つの例示的な実施例にかかる電話着信に対する返信方法のフローチャートである。図３に示すように、該電話着信に対する返信方法はサーバに使われ、以下のようなステップを含む。
【００４３】
ステップ３０１において、端末から送信される発信者番号を受信する。
【００４４】
ステップ３０２において、番号情報と番号名の対応関係に基づいて、発信者番号に対応する発信者名を確定する。
【００４５】
ステップ３０３において、発信者名を端末に送信する。端末は、ユーザが電話着信に対する返信操作を作動させたとき、発信者名に基づいて発信者番号に対応する指定グループタイプを確定し、グループタイプと返信内容の対応関係に基づいて、指定グループタイプにマッチする指定返信内容を確定し、指定返信内容を発信者番号に送信するために使われる。ここで、グループタイプには少なくともサービス類番号および連絡先番号が含まれる。
【００４６】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００４７】
好ましくは、端末から送信される発信者番号を受信する前に、該方法は更に、
複数の端末から送信される、少なくとも番号情報および番号名を含む連絡情報を受信し、受信される連絡情報に基づいて、番号情報と番号名の対応関係を生成して、該対応関係を記憶するステップ、
または、
複数の端末から連絡情報を取得し、取得された連絡情報に基づいて、番号情報と番号名の対応関係を生成して、該対応関係を記憶するステップを含む。
【００４８】
上述した全ての好ましい技術的解決策は、任意の組み合わせを採用して本発明の好ましい実施例を成すことができ、ここでは繰り返し説明しない。
【００４９】
図４は一つの例示的な実施例にかかる一つの電話着信に対する返信方法のフローチャートである。インタラクションの主体は端末とイエローページサーバである。図４に示すように、該電話着信に対する返信方法は以下のようなステップを含む。
【００５０】
ステップ４０１において、電話着信呼び出しプロセスにおいて、端末はローカルの連絡帳に発信者番号と一致する番号が記憶されているか否かを検索し、ローカルの連絡帳に発信者番号と一致する番号が記憶されていない場合、下記のステップ４０２を実行し、ローカルの連絡帳に発信者番号と一致する番号が記憶されている場合は、下記のステップ４０５を実行する。
【００５１】
本発明の実施例において、電話着信呼び出しプロセルにおいて、誰からの呼び出しであるかをユーザが分かるようにするため、端末は発信者番号に対応する発信者名を検索することで、発信者名を電話番号と共に端末インタフェースに表示できるようにする。発信者番号に対応する発信者名を検索するとき、端末は優先的にローカルの連絡帳において検索を行う。ここで、端末はローカルの連絡帳に発信者番号と一致する番号があるか否かを検索するとき、下記の方法を採用して実現することができる。
【００５２】
ローカルの連絡帳を読み取り、発信者番号と、ローカルの連絡帳において記載されている全ての番号を逐一比較する。ローカルの連絡帳において記載されている全ての番号が発信者番号とマッチしないとき、ローカルの連絡帳に発信者番号と一致する番号が記憶されていないと確定する。ローカルの連絡帳において記載されているある一つの番号と発信者番号とがいずれの桁も全て同じであるとき、発信者番号と一致する番号がローカルの連絡帳に記憶されていると確定する。
【００５３】
当然ながら、上述した検索方法以外にも、その他の検索方法を採用することができ、本発明の実施例はこれに対し具体的に限定しない。
【００５４】
ステップ４０２において、ローカルの連絡帳に発信者番号と一致する番号が記憶されていない場合、イエローページサーバに発信者番号を送信する。
【００５５】
本発明の実施例において、ローカルの連絡帳に発信者番号と一致する番号が記憶されていない場合、ユーザが発信者の関連情報を知るようにするために、イエローページアプリケーションを通じて発信者番号をイエローページサーバに送信する必要がある。更に、端末において、ユーザのイエローページアプリケーションへのログイン状態が検出された後、発信者番号をイエローページサーバに自動的に送信することを実現することができる。従って、事前にユーザに指定アカウントを通じてイエローページアプリケーションにログインするように通知することも必要である。
【００５６】
ここで、端末がイエローページサーバに発信者番号を送信するとき、データ転送の安全性を確保するために、発信者番号を暗号化した後、無線送信方法を採用してイエローページサーバに送信することができる。ここで、発信者番号を暗号化するとき、ＡＥＳ（Advanced Encryption Standard）、ＤＥＳ（Data Encryption Standard）などの暗号化方法を採用することができ、本発明の実施例はこれについて具体的に限定しない。
【００５７】
ステップ４０３において、イエローページサーバは端末から送信される発信者番号を受信した後、番号情報と番号名の対応関係に基づいて、発信者番号に対応する発信者名を確定する。
【００５８】
本発明の実施例において、イエローページサーバは端末から送信されるデータを受信した後、データが暗号化状態である場合、上述したステップ４０２における暗号化アルゴリズムと逆の暗号化解除アルゴリズムを採用して暗号化を解除し、発信者番号を得ることが必要である。
【００５９】
ここで、イエローページサーバには大量の連絡情報が記憶されており、各業界に関わっている。通常、大量の記憶情報は下記の二つの方法で取得することができる。
【００６０】
第１の方法は、複数の端末から送信される連絡情報を受信し、受信した連絡情報に基づいて、番号情報と番号名の対応関係を生成し、該対応関係を記憶する。連絡情報には少なくとも番号情報および番号名が含まれる。
【００６１】
第１の方法において、各種企業およびショップは、商品の影響力を広げる、または知名度を上げるために、通常自身の連絡情報をイエローページサーバに自動的にアップロードすることを願う。更に、イエローページサーバは受信した連絡情報を処理して、対応リストを生成し、該対応リストを現在の対応関係表に挿入する。
【００６２】
第２の方法は、複数の端末から連絡情報を取得し、取得した連絡情報に基づいて、番号情報と番号名の対応関係を生成し、対応関係を記憶する。
【００６３】
第２の方法において、例えばユーザが迷惑電話を受けた後、イエローページアプリケーションはユーザに該迷惑番号を標記するように提示することができる。ユーザが標記した後、イエローページサーバはイエローページアプリケーションを通じてユーザが標記した迷惑番号を端末から取得する。管理者は各ルートを通じて能動的に各種企業およびショップの連絡情報を取得することができる。
【００６４】
該連絡情報には、番号情報および番号名が含まれる以外、更に住所情報、画像情報などが含まれてもよく、本発明の実施例は連絡情報に含まれる内容について具体的に限定しない。イエローページサーバは上述した連絡情報を記憶する際、下記の表１に示すリストの形式を採用して記憶することができ、検索がしやすい。
【００６５】
【表１】
2017504287.tif 000018
【００６６】
イエローページサーバは番号情報と番号名の対応関係に基づいて発信者番号に対応する発信者名を確定するとき、上記の表１に示すリストにおいて遍歴検索または捜索検索を行う方法で、発信者番号に対応する発信者名を素早く知ることができる。
【００６７】
ステップ４０４において、イエローページサーバは発信者番号に対応する発信者名を端末に返す。
【００６８】
本発明の実施例において、イエローページサーバは端末に発信者名を返すとき、安全性から考えて、発信者名を暗号化してから送信するようにすることができる。当然ながら、発信者名をそのまま端末に返すことも可能であり、本発明の実施例はこれについて具体的に限定しない。
【００６９】
ステップ４０５において、ローカルの連絡帳に発信者番号と一致する番号が記憶されている場合、端末はローカルの連絡帳における指定連絡先情報リストに基づいて、発信者番号に対応する発信者名を確定する。
【００７０】
本発明の実施例において、指定連絡先情報リストは発信者番号が属する情報リストである。ローカルの連絡帳に発信者番号と一致する番号が記憶されているため、ローカルの連絡帳を通じて、発信者番号に対応する発信者名を確定することができる。ローカルの連絡帳におけるそれぞれの番号が属する情報リストの全てには番号名が含まれているため、連絡先情報リストに基づいて発信者名を素早く確認することができる。ここで、連絡先情報リストは、必要な番号情報および番号名以外に、更に連絡先画像、連絡先住所、連絡先メールなどのその他情報を含むことができ、本発明の実施例はこれについて具体的に限定しない。
【００７１】
ステップ４０６において、端末はユーザが電話着信に対する返信操作を作動させたか否かを検出する。ユーザが電話着信に対する返信操作を作動させた場合、下記のステップ４０７を実行し、ユーザが電話着信に対する返信操作を作動させていない場合、処理プロセスはこれで終了する。
【００７２】
本発明の実施例において、電話着信の呼び出しのとき、端末は端末インタフェースにおいて図５における（ａ）図に示す電話着信呼び出し画面を表示する。ここで、該画面において少なくとも発信者番号、発信者名、「受信拒否」模擬キー、「通話」模擬キー、「スマート返信」模擬キーおよび「後で知らせる」模擬キーを表示する必要がある。「スマート返信」模擬キーがクリックされた後、端末はユーザが電話着信に対する返信操作を作動させたことを確定し、下記のステップ４０７ないしステップ４０９を実行することができる。
【００７３】
ステップ４０７において、ユーザが電話着信に対する返信操作を作動させたとき、端末は発信者名に基づいて発信者番号に対応する指定グループタイプを確定する。
【００７４】
本発明の実施例において、グループタイプは少なくともサービス類番号、連絡先番号および迷惑類番号を含むことができる。ここで、サービス類番号は宅配会社番号、ホテル番号、銀行番号、タクシー番号、電気通信業者番号、家事サービス番号など各種サービス類企業または個人の番号を指すことができる。連絡先番号はローカルの連絡帳における連絡先番号を指し、家族、友達、クラスメート、同僚、ビジネスパートナーなどの連絡先番号を含む。迷惑類番号は広告セールス、電信詐欺、各種不法仲介などに属される番号を指す。
【００７５】
また、端末が発信者名に基づいて発信者番号に対応する指定グループタイプを確定する前、本発明の実施例が提供する方法は更に、それぞれのグループタイプに対応する複数のグループキーワードを設定するステップを含む。例えば、サービス類番号にとって、それに対応するグループキーワードは、ホテル、宅配、銀行、タクシー、コンビニエンスストア、ファーストフード店、各種ショップ名などを含むことができる。連絡先番号にとって、それに対応するグループキーワードは、お母さん、お父さん、おばさん、おじさん、各名字、ローカルの連絡帳における連絡先の氏名などを含むことができる。連絡先番号にとって、それに対応するグループキーワードは、セールス、広告、仲介、詐欺などを含むことができる。
【００７６】
ここで、端末は発信者名に基づいて発信者番号に対応する指定グループタイプを確定するとき、下記の方法を採用して実現することができる。
【００７７】
発信者名について単語分割処理を行い、少なくとも一つの単語を取得して、少なくとも一つの単語においていずれかのグループタイプに対応するグループキーワードが含まれているか否かを確定し、少なくとも一つの単語において、いずれかのグループタイプに対応するグループキーワードが含まれている場合、前記いずれかのグループタイプを発信者番号に対応する指定グループタイプとして確定する。
【００７８】
図５における（ａ）図に示すように、電話着信が１３８＊＊＊＊９８９３であり、発信者名が「順豊宅配王さん」であることを例にすると、端末は単語分割処理を行う際、「順豊宅配王さん」を「順豊宅配」と「王さん」の二つの単語に分割する。更に、「順豊宅配」という単語は上記において言及したサービス類グループタイプに属し、サービス類番号を該発信者番号に対応する指定グループタイプとして確定する。
【００７９】
説明しなければいけないのは、該ステップにおいて発信者番号が迷惑番号であることが判断された場合、下記のステップ４０８およびステップ４０９を実行して発信者番号に自動的に返信する必要なく、該電話着信を直接拒否することを選べばよい、ということである。
【００８０】
ステップ４０８において、端末はグループタイプと返信内容の対応関係に基づいて、指定グループタイプにマッチする指定返信内容を確定する。
【００８１】
本発明の実施例において、端末はグループタイプと返信内容の対応関係に基づいて、前記指定グループタイプにマッチする指定返信内容を確定する前に、更にそれぞれのグループタイプに対応する返信内容を設定し記憶するステップを含む。ここで、それぞれのグループタイプは一種の返信内容に対応することができる。即ち、それぞれのグループタイプに含まれるサブ項目について、返信内容を更に細分することができる。例えば、サービス類番号は宅配会社番号、ホテル番号、銀行番号、タクシー番号、電気通信事業者番号、家事サービス番号などを含み、上記それぞれのタイプの番号は全て下の表２に示す異なる返信内容に対応することができる。
【００８２】
【表２】
2017504287.tif 000019
【００８３】
当然ながら、それぞれのグループタイプは同じ返信内容に対応することができ、本発明の実施例はこれについて具体的に限定しない。
【００８４】
ここで、端末はグループタイプと返信内容の対応関係に基づいて、グループタイプにマッチする指定返信内容を確定するとき、下記の方法を採用して実現することができる。
【００８５】
指定グループタイプがサービス類番号であるとき、指定グループタイプに基づいて、上記の表２に示すようなグループタイプと返信内容の対応関係において検索を行い、サービス類番号に対応する第１類指定返信内容を確定する。また指定グループタイプが連絡先番号であるとき、指定グループタイプに基づいて、上記の表２に示すようなグループタイプと返信内容の対応関係において検索し、連絡先番号に対応する第２類指定返信内容を確定する。
【００８６】
例えば、端末は、現在の電話着信が配達員からの電話着信であると判断したとき、ユーザが図５における（ａ）図に示す「スマート返信」模擬キーをクリックしたと検出した後、受信を拒否し、かつ電話着信タイプに基づいて上記の表２に示す「こんにちは！しばらく電話に出ることができません。荷物を受取指定場所に置いてください。」のような指定返信内容を自動的に返信する。
【００８７】
ステップ４０９において、端末は指定返信内容を発信者番号に送信する。
【００８８】
本発明の実施例において、端末は返信内容を発信者番号に送信した後、発信者番号に対応する端末インタフェースにおいて、図５における（ｂ）図に示すような返信内容が表示される。これによって、現在ユーザが忙しい状況にあり、返信内容に基づいてしかるべき処理を行うことができるということを、発信者に通知できるようにした。例えば、配達員王さんにとって、ユーザの荷物をユーザが返信内容において言及した受取指定場所に置くことができる。このように、発信者の体験度を向上させることができるだけでなく、ユーザが重要な用事を逃してしまうことを避けることもできる。
【００８９】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。ユーザが電話に出られないとき、発信者ができるだけ詳細な通知を得るようにすることができると同時にユーザに更に優れたサービスを提供し、ユーザの体験度が高い。
【００９０】
図６は一つの例示的な実施例にかかる一つの電話着信に対する返信装置のブロック図である。図６に示すように、該装置は発信者番号送信モジュール６０１、発信者名受信モジュール６０２、電話着信返信検出モジュール６０３、グループタイプ確定モジュール６０４、返信内容確定モジュール６０５および返信内容送信モジュール６０６を備える。
【００９１】
ここで、発信者番号送信モジュール６０１は、電話着信呼び出しプロセスにおいて、ローカルの連絡帳に発信者番号と一致する番号が記憶されていないとき、発信者番号に対応する発信者名を確定するためのイエローページサーバに発信者番号を送信する。発信者名受信モジュール６０２は発信者番号送信モジュール６０１と接続し、イエローページサーバから返された発信者名を受信する。電話着信返信検出モジュール６０３は発信者名受信モジュール６０２と接続し、ユーザが電話着信に対する返信操作を作動させたか否かを検出する。グループタイプ確定モジュール６０４は電話着信返信検出モジュール６０３と接続し、ユーザが電話着信に対する返信操作を作動させたとき、発信者名に基づいて発信者番号に対応する指定グループタイプを確定する。返信内容確定モジュール６０５はグループタイプ確定モジュール６０４と接続し、グループタイプと返信内容の対応関係に基づいて、指定グループタイプにマッチする指定返信内容を確定し、グループタイプには少なくともサービス類番号および連絡先番号が含まれる。返信内容送信モジュール６０６は返信内容確定モジュール６０５と接続し、指定返信内容を発信者番号に送信する。
【００９２】
好ましくは、図７に示すように、該装置は更に、
ローカルの連絡帳に発信者番号と一致する番号が記憶されている場合、ローカルの連絡帳における指定連絡先情報リストに基づいて、発信者番号に対応する発信者名を確定するための発信者名確定モジュール６０７を備え、
ここで、指定連絡先情報リストは発信者番号が属する情報リストである。
【００９３】
好ましくは、図８に示すように、該装置は更に、
それぞれのグループタイプに対応する複数のグループキーワードを設定するためのグループキーワード設定モジュール６０８と、
発信者名について単語分割処理を行い、少なくとも一つの単語を取得し、少なくとも一つの単語において、いずれかのグループタイプに対応するグループキーワードが含まれているか否かを確定し、少なくとも一つの単語においていずれかのグループタイプに対応するグループキーワードが含まれている場合、前記いずれかのグループタイプを発信者番号に対応する指定グループタイプとして確定するためのグループタイプ確定モジュール６０９とを備える。
【００９４】
好ましくは、図９に示すように、該装置は更に、
発信者名に基づいて発信者番号が迷惑番号であると確定したとき、現在の電話着信を拒否するための電話着信拒否モジュール６１０を備える。
【００９５】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【００９６】
図１０は一つの例示的な実施例にかかる電話着信に対する返信装置のブロック図である。図１０に示すように、該装置は発信者番号受信モジュール１００１、発信者名確定モジュール１００２および発信者名送信モジュール１００３を備える。
【００９７】
ここで、発信者番号受信モジュール１００１は、端末から送信される発信者番号を受信する。発信者名確定モジュール１００２は発信者番号受信モジュール１００１と接続し、番号情報と番号名の対応関係に基づいて、発信者番号に対応する発信者名を確定する。発信者名送信モジュール１００３は発信者名確定モジュール１００２と接続し、発信者名を端末に送信する。端末は、ユーザが電話着信に対する返信操作を作動させたとき、発信者名に基づいて発信者番号に対応する指定グループタイプを確定し、グループタイプと返信内容の対応関係に基づいて、指定グループタイプにマッチする指定返信内容を確定し、指定返信内容を発信者番号に送信するために使われる。グループタイプには少なくともサービス類番号および連絡先番号が含まれる。
【００９８】
好ましくは、図１１に示すように、該装置は更に、
複数の端末から送信される、少なくとも番号情報および番号名を含む連絡情報を受信し、受信される連絡情報に基づいて、番号情報と番号名の対応関係を生成し、該対応関係を記憶し、または、複数の端末から前記連絡情報を取得し、取得された連絡情報に基づいて、番号情報と番号名の対応関係を生成して、該対応関係を記憶するための連絡情報受信モジュール１００４を備える。
【００９９】
本発明の実施例が提供する方法は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【０１００】
上述した実施例における装置に関しては、それぞれのモジュールが操作を実行する具体的な方法は既に関連する実施例において詳細な説明を行っており、ここでは繰り返し説明しない。
【０１０１】
図１２は一つの例示的な実施例にかかる電話着信に対し返信を行う端末１２００のブロック図である。例えば、端末１２００は、携帯電話、コンピューター、デジタル放送端末、メッセージ送受信デバイス、ゲームコンソール、タブレットデバイス、医療デバイス、健康デバイス、パーソナルデジタルアシスタント等であってもよい。
【０１０２】
図１２を参照して、端末１２００は、プロセス部材１２０２、メモリ１２０４、電源部材１２０６、マルチメディア部材１２０８、オーディオ部材１２１０、入出力（Ｉ／Ｏ、Ｉｎｐｕｔ／Ｏｕｔｐｕｔ）インターフェイス１２１２、センサ部材１２１４、及び通信部材１２１６のような一つ以上の部材を含んでよい。
【０１０３】
プロセス部材１２０８は、一般的には端末１２００の全体の操作を制御するものであり、例えば、表示、電話呼び出し、データ通信、カメラ操作、及び記録操作と関連する操作を制御する。プロセス部材１２０８は、一つ以上のプロセッサ１２２０を含み、これらによって命令を実行することにより、上記の方法の全部、或いは一部のステップを実現するようにしてもよい。なお、プロセス部材１２０８は、一つ以上のモジュールを含み、これらによってプロセス部材１２０８と他の部材の間のインタラクションを容易にするようにしてもよい。例えば、プロセス部材１２０８は、マルチメディアモジュールを含み、これらによってマルチメディア部材１２０８とプロセス部材１２０８の間のインタラクションを容易にするようにしてもよい。
【０１０４】
メモリ１２０４は、各種類のデータを記憶することにより端末１２００の操作を支援するように構成される。これらのデータの例は、端末１２００において操作されるいずれのアプリケーションプログラム又は方法の命令、連絡対象データ、電話帳データ、メッセージ、画像、ビデオ等を含む。メモリ１２０４は、いずれの種類の揮発性、不揮発性記憶デバイスまたはそれらの組み合わせによって実現されてもよく、例えば、ＳＲＡＭ（Static Random Access Memory）、ＥＥＰＲＯＭ（Electrically Erasable Programmable Read Only Memory）、ＥＰＲＯＭ（Erasable Programmable ROM）、ＰＲＯＭ（Programmable ROM）、ＲＯＭ（Ｒｅａｄ−Ｏｎｌｙ  Ｍｅｍｏｒｙ）、磁気メモリ、フラッシュメモリ、磁気ディスク、或いは光ディスクである。
【０１０５】
電源部材１２０６は、端末１２００の多様な部材に電力を供給する。電源部材１２０６は、電源管理システム、一つ以上の電源、及び端末１２００のための電力の生成、管理及び割り当てに関連する他の部材を含んでもよい。
【０１０６】
マルチメディア部材１２０８は、前記端末１２００とユーザの間に一つの出力インターフェイスを提供するスクリーンを含む。上記の実施例において、スクリーンは液晶モニター（ＬＣＤ、Ｌｉｑｕｉｄ  Ｃｒｓｔａｌ  Ｄｉｓｐｌａｙ）とタッチパネル（ＴＰ、Ｔｏｕｃｈ  Ｐａｎｅｌ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１２０８は、一つのフロントカメラ、及び／又はリアカメラを含む。端末１２００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【０１０７】
オーディオ部材１２１０は、オーディオ信号を入出力するように構成されてもよい。例えば、オーディオ部材１２１０は、一つのマイク（ＭＩＣ、Ｍｉｃｒｏｕｐｈｏｎｅ）を含み、端末１２００が、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信部材１２１６を介して送信されたりされる。上記の実施例において、オーディオ部材１２１０は、オーディオ信号を出力するための一つのスピーカーをさらに含む。
【０１０８】
Ｉ／Ｏインターフェイス１２１２は、プロセス部材１２０８と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【０１０９】
センサ部材１２１４は、端末１２００に各方面の状態に対する評価を提供するための一つ以上のセンサを含む。例えば、センサ部材１２１４は、端末１２００のＯＮ／ＯＦＦ状態、端末１２００のディスプレイと小さなキーパッドのような部材の相対的な位置決めを検出できる。また、例えば、センサ部材１２１４は、端末１２００、或いは端末１２００の一つの部材の位置変更、ユーザと端末１２００とが接触しているか否か、端末１２００の方位、又は加速／減速、端末１２００の温度の変化を検出できる。センサ部材１２１４は、何れの物理的接触がない状態にて付近の物体の存在を検出するための近接センサを含んでもよい。センサ部材１２１４は、撮影アプリケーションに適用するため、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、又はＣＣＤ（Ｃｈａｒｇｅ−ｃｏｎｕｐｌｅｄ  Ｄｅｖｉｃｅ）イメージセンサのような光センサを含んでもよい。上記の実施例において、当該センサ部材１２１４は、加速度センサ、ジャイロスコープセンサ、磁気センサ、圧力センサ、及び温度センサをさらに含んでもよい。
【０１１０】
通信部材１２１６は、端末１２００と他の機器の間に有線、又は無線形態の通信を提供する。端末１２００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１２１６は、放送チャンネルを介して外部の放送管理システムからの放送信号、又は放送に関連する情報を受信する。一つの例示的な実施例において、前記通信部材１２１６は、近距離無線通信（ＮＦＣ、Ｎｅａｒ  Ｆｉｅｌｄ  Ｃｏｍｍｕｎｉｃａｔｉｏｎ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａ−ｒｅｄ  Ｄａｔａ  Ａｓｓｏｃｉａｔｉｏｎ）技術、ＵＷＢ（Ｕｌｔｒａ  Ｗｉｄｅｂａｎｄ）技術、ＢＴ（Ｂｌｕｅｔｏｏｔｈ（登録商標））技術、他の技術に基づいて実現できる。
【０１１１】
例示的な実施例において、端末１２００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  ｓｉｇｎａｌ  Ｐｒｏｃｅｓｓｏｒ）、ＤＳＰＤ（Ｄｉｇｉｔａｌ  ｓｉｇｎａｌ  Ｐｒｏｃｅｓｓｏｒ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１１２】
例示的な実施例において、さらに、命令を含むコンピュータ読取り可能な非一時的な記録媒体、例えば命令を含むメモリ１２０４を提供しており、端末１２００のプロセッサ１２２０により上記命令を実行して上記方法を実現する。例えば、前記コンピュータ読取り可能な非一時的な記録媒体は、ＲＯＭ、ＲＡＭ（Ｒａｎｄｏｍ  Ａｃｃｅｓｓ  Ｍｅｍｏｒｙ）、ＣＤ-ＲＯＭ（Ｃｏｍｐａｃｔ  Ｄｉｓｃ  Ｒｅａｄ−Ｏｎｌｙ  Ｍｅｍｏｒｙ）、磁気テープ、フロッピー（登録商標）ディスク、光データ記憶デバイス等である。
【０１１３】
コンピュータ読み取り可能な非一時的な記憶媒体は、前記記憶媒体の指令が移動端末のプロセッサによって実行されるとき、移動端末が電話着信に対する返信方法を実行できるようにするが、前記方法は、
電話着信呼び出しプロセスにおいて、ローカルの連絡帳に発信者番号と一致する番号が記憶されていないとき、発信者番号に対応する発信者名を確認するために使われるイエローページサーバに発信者番号を送信するステップと、
イエローページサーバから返された発信者名を受信するステップと、 
ユーザが電話着信に対する返信操作を作動させたか否かを検出するステップと、
ユーザが電話着信に対する返信操作を作動させた場合、発信者名に基づいて発信者番号に対応する指定グループタイプを確定するステップと、
少なくともサービス類番号および連絡先番号が含まれるグループタイプと返信内容の対応関係に基づいて、指定グループタイプにマッチする指定返信内容を確定するステップと、
指定返信内容を発信者番号に送信するステップとを含む。
【０１１４】
好ましくは、イエローページサーバに発信者番号を送信する前に、更に、
ローカルの連絡帳に発信者番号と一致する番号が記憶されている場合、ローカルの連絡帳における指定連絡先情報リストに基づいて、発信者番号に対応する発信者名を確定するステップを含み、
指定連絡先情報リストは発信者番号が属する情報リストである。
【０１１５】
好ましくは、発信者名に基づいて発信者番号に対応する指定グループタイプを確定する前に、更に、
それぞれのグループタイプに対応する複数のグループキーワードを設定するステップを含み、
発信者名に基づいて発信者番号に対応する指定グループタイプを確定するステップは、
発信者名について単語分割処理を行い、少なくとも一つの単語を取得するステップと、
少なくとも一つの単語において、いずれかのグループタイプに対応するグループキーワードが含まれているか否かを確定するステップと、
少なくとも一つの単語において、いずれかのグループタイプに対応するグループキーワードが含まれている場合、いずれかのグループタイプを発信者番号に対応する指定グループタイプとして確定するステップとを含む。
【０１１６】
好ましくは、発信者名に基づいて発信者番号に対応する指定グループタイプを確定した後、更に、
発信者名に基づいて発信者番号が迷惑番号であると確定したとき、現在の電話着信を拒否するステップを含む。
【０１１７】
本発明の実施例が提供するコンピュータ読み取り可能な非一時的な記憶媒体は、電話着信呼び出しプロセスにおいて、ローカルの連絡帳に発信者番号と一致する番号が記憶されていないとき、端末はイエローページサーバに発信者番号を送信し、イエローページサーバにより発信者番号に対応する発信者名が確定され、その後、ユーザが電話着信に対する返信操作を作動させたことを端末が検出した場合、取得した発信者名に基づいて発信者番号に対応する指定グループタイプを確定し、更にグループタイプと返信内容の対応関係に基づいて、指定グループタイプにマッチする指定返信内容を確定し、指定返信内容を自動的に発信者番号に送信する。端末はイエローページサーバを通じて知らない番号からの電話着信を識別し、異なる識別結果に基づいて、自動的に発信者番号に異なる返信内容を返信することができるため、このような電話着信に対する返信方法は操作が簡単で、比較的スマートで、簡易性が比較的に優れている。
【０１１８】
図１３は一つの例示的な実施例にかかる電話着信に対する返信のためのサーバ１３００のブロック図である。例えば、サーバ１３００を一つのサーバとして提供することができる。図１３に示すように、サーバ１３００は、一つ又は複数のプロセッサを有する処理部材１３２２、及びメモリ１３３２を代表とする記憶装置を備える。該記憶装置は、例えばアプリケーションプログラムのような、処理部材１３２２によって実行される指令を記憶するために使われる。メモリ１３３２に記憶されるアプリケーションプログラムは、一つ又は複数の、それぞれ一組の指令に対応するモジュールを含むことができる。また、処理部材１３２２は指令を実行するように構成され、上記の電話着信に対する返信方法におけるイエローページサーバが実行する方法を実行する。
【０１１９】
サーバ１３００は更に、サーバ１３００の電源の管理を実行するように配置された電源部材１３２６、サーバ１３００をネットワークに接続するように構成される一つの有線又は無線ネットワークインターフェース１３５０及び一つの入力／出力（Ｉ／Ｏ）インタフェース１３５８を備える。サーバ１３００はメモリ１３３２に記憶された、例えばＷｉｎｄｏｕｓ  Ｓｅｒｖｅｒ（登録商標）、Ｍａｃ  ０Ｓ  Ｘ（登録商標）、Ｕｎｉｘ（登録商標）、Ｌｉｎｕｘ（登録商標）、ＦｒｅｅＢＳＤ（登録商標）または類似のオペレーティングシステムに基づいて操作することができる。
【０１２０】
当業者は明細書を検討し、ここで開示した発明を実践した後、本発明のその他の実施形態を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１２１】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【０１２２】
本願は出願番号が２０１４１０８３２１８３．３であり、出願日が２０１４年１２月２７日である中国特許出願に基づき、優先権を主張し、当該中国特許出願の全ての内容は本願に援用される。
【国際調査報告】
2017504287.tif 000020
2017504287.tif 000021
2017504287.tif 000022
2017504287.tif 000023